(57)【要約】本開示の実施形態は、エッジクラウドモバイルプロキシに基づくミリ波（mmWave）無線アクセス技術の便宜的アクセスの方法及び装置を記載する。他の実施態様も記載又は請求され得る。
2018511224.tif 000002
【特許請求の範囲】
【請求項１】
メモリ回路と、
前記メモリ回路と結合された処理回路と、
を備える装置であって、
前記処理回路は、
コアネットワークをトラバースするトランスポートネットワークを介して、送信エンティティからトラフィックを受信し、
前記トラフィックを前記メモリ回路にバッファリングし、
前記トランスポートネットワークのデータレートを制御し、
ユーザ機器（ＵＥ）への後続の送信のために、前記トラフィックを前記コアネットワークから第１のｅＮＢ又は第２のｅＮＢへ送信させるように構成される、
装置。
【請求項２】
前記処理回路は、トランスポート層データ転送管理メッセージを前記送信エンティティに送信させて、前記トランスポートネットワークの前記データレートを制御するように構成される、
請求項１に記載の装置。
【請求項３】
前記トランスポート層データ転送管理メッセージは、伝送制御プロトコル（ＴＣＰ）の肯定応答メッセージ又は否定応答メッセージである、
請求項２に記載の装置。
【請求項４】
前記処理回路は、前記第１のｅＮＢ又は前記第２のｅＮＢから前記ＵＥに提供されるリンク容量の指示を受信し、前記リンク容量に基づいて前記トランスポートネットワークの前記データレートを制御するように構成される、
請求項１乃至３のいずれか一項に記載の装置。
【請求項５】
前記処理回路は更に、前記第１のｅＮＢのスケジューリング決定の通知を受信し、前記通知に基づいて前記第１のｅＮＢ又は前記第２のｅＮＢに前記トラフィックを送信するように構成される、
請求項１乃至３のいずれか一項に記載の装置。
【請求項６】
前記処理回路は、前記第１のｅＮＢ又は前記第２のｅＮＢによるトラフィックの送信のスケジュールを生成し、前記スケジュールの通知を前記第１のｅＮＢに送信するように構成される、
請求項１乃至３のいずれか一項に記載の装置。
【請求項７】
前記処理回路は、前記トラフィックのタイプ、サイズ又はサービス品質要件に基づいて前記スケジュールを生成するように構成される、
請求項６に記載の装置。
【請求項８】
前記処理回路は、前記第１のｅＮＢ又は前記第２のｅＮＢにより前記ＵＥに提供されるリンク容量の指示を受信し、前記リンク容量の前記指示に基づいて、前記トラフィックの送信をスケジューリングするように構成される、
請求項７に記載の装置。
【請求項９】
マクロｅＮＢ（ＭｅＮＢ）から受信されたリンク容量レポートを処理するステップであって、前記リンク容量レポートは、スモールセルｅＮＢ（ＳｅＮＢ）によりユーザ機器（ＵＥ）に提供される第１のリンクのリンク容量を含み、前記第１のリンクは６ギガヘルツ（ＧＨｚ）よりも大きい周波数を用いる、ステップと、
前記リンク容量レポートに基づいて、トランスポートネットワークのデータレートを制御するためのトランスポート層データ転送管理メッセージを送信エンティティに送信するステップと、
をモバイルプロキシに実行させるためのプログラム。
【請求項１０】
前記トランスポート層メッセージは、肯定応答／否定応答（ＡＣＫ／ＮＡＣＫ）メッセージである、
請求項９に記載のプログラム。
【請求項１１】
前記トランスポート層データ転送管理メッセージは、伝送制御プロトコル（ＴＣＰ）メッセージである、
請求項９又は１０に記載のプログラム。
【請求項１２】
前記トランスポート層データ転送管理メッセージは、前記トランスポートネットワークにおいて輻輳又はフロー制御を提供するように構成される、
請求項９又は１０に記載のプログラム。
【請求項１３】
個々のサービス品質（ＱｏＳ）クラスについて輻輳又はフロー制御を提供するために、前記トランスポート層データ転送管理メッセージを生成するステップ、
を前記モバイルプロキシに更に実行させる、請求項１２に記載のプログラム。
【請求項１４】
前記リンク容量レポートに基づいて、ＭｅＮＢ又はＳｅＮＢによりＵＥにデータを送信するスケジュールを生成するステップ、
を前記モバイルプロキシに更に実行させる、請求項９又は１０に記載のプログラム。
【請求項１５】
前記データのサービス品質（ＱｏＳ）クラスを決定するステップと、
前記ＱｏＳクラスに基づいて前記スケジュールを生成するステップと、
を前記モバイルプロキシに更に実行させる、請求項１４に記載のプログラム。
【請求項１６】
モバイルプロキシに、
コアネットワークと、無線アクセスネットワークを介して前記モバイルプロキシと通信可能に結合されたユーザ機器との間で通信されるデータを処理するステップと、
前記無線アクセスネットワークにおける無線チャネル容量の変動を低減するために伝送制御プロトコル（ＴＣＰ）層を終了するステップと、
を実行させるためのプログラム。
【請求項１７】
前記無線アクセスネットワークの容量に基づいて、前記ＴＣＰ層におけるネットワークトラフィックを操作するステップ、
を前記モバイルプロキシに更に実行させる、請求項１６に記載のプログラム。
【請求項１８】
前記モバイルプロキシは、ＴＣＰレート制御機構を利用して前記ネットワークトラフィックを操作するように構成される、
請求項１７に記載のプログラム。
【請求項１９】
マクロ進化型ノードＢ（ＭｅＮＢ）からのレポートを処理して、前記無線アクセスネットワークの前記容量を決定するステップ、
を前記モバイルプロキシに更に実行させる、請求項１７又は１８に記載のプログラム。
【請求項２０】
前記無線アクセスネットワークは、１つ以上のミリ波（mmWave）接続を提供するデバイスを含む、
請求項１７又は１８に記載のプログラム。
【請求項２１】
マクロｅＮＢ（ＭｅＮＢ）であって、
少なくとも部分的にハードウェアに実装され、コアネットワーク要素に存在するモバイルプロキシから、ユーザ機器（ＵＥ）に送信されるデータの通知を受信するように構成される通信ロジックであって、前記通知は、前記データのタイプ、サイズ又はサービス品質（ＱｏＳ）要件を含む、通信ロジックと、
少なくとも部分的にハードウェアに実装され、前記通知に基づいて、前記ＭｅＮＢによって提供される第１のリンク又はスモールセルｅＮＢ（ＳｅＮＢ）によって提供される第２のリンクを介して、無線エアインタフェースを介して前記データを送信するためのスケジュールを生成するように構成されるスケジューリングロジックと、
を備え、
前記通信ロジックは更に、前記スケジュールの指示を前記モバイルプロキシに送信するように構成される、
ＭｅＮＢ。
【請求項２２】
前記通信ロジックは、前記モバイルプロキシに、ＭｅＮＢ又はＳｅＮＢからＵＥに提供されるリンク容量の指示を提供するように構成される、
請求項２１に記載のＭｅＮＢ。
【請求項２３】
前記通信ロジックは、前記モバイルプロキシに、前記リンク容量の前記指示と前記スケジュールの前記指示の両方を含むメッセージを送信するように構成される、
請求項２２に記載のＭｅＮＢ。
【請求項２４】
前記通信ロジックは、更に、前記ＭｅＮＢ又は前記ＳｅＮＢにより前記ＵＥに提供される更新されたリンク容量の指示を送信するように構成される、
請求項２１乃至２３のいずれか一項に記載のＭｅＮＢ。
【請求項２５】
前記無線エアインタフェースを介して前記データを送信するための前記スケジュールは、前記データの少なくとも第１の部分が、前記ＳｅＮＢによって前記ＵＥに提供されるようにスケジューリングされることを含み、
前記ＳｅＮＢは、６ギガヘルツよりも大きい周波数を用いて、前記データの少なくとも前記第１の部分を送信するように構成される、
請求項２１乃至２３のいずれか一項に記載のＭｅＮＢ。
【請求項２６】
前記無線エアインタフェースを介して前記データを送信するための前記スケジュールは、前記データの少なくとも第１の部分が、前記ＭｅＮＢによって前記ＵＥに提供されるようにスケジューリングされることを含み、
前記通信ロジックは、コアネットワークから前記データの少なくとも前記第１の部分を受信し、６ギガヘルツ未満の周波数を用いて、少なくとも前記第１の部分を前記ＵＥに送信するように構成される、
請求項２１乃至２３のいずれか一項に記載のＭｅＮＢ。
【請求項２７】
マクロｅＮＢ（ＭｅＮＢ）であって、
前記ＭｅＮＢによって提供される第１のリンク及びスモールセルｅＮＢ（ＳｅＮＢ）によって提供される第２のリンクを介して、ユーザ機器（ＵＥ）に提供されるリンク容量を決定するように構成される制御回路と、
前記制御回路と結合される送受信回路と、
を備え、前記送受信回路は、
前記リンク容量を、コアネットワーク要素に存在するモバイルプロキシに送信するように構成され、
コアネットワーク要素に存在するモバイルプロキシから、前記第１のリンク又は前記第２のリンクを介して前記ＵＥにデータを送信するためのスケジュールの通知を受信するように構成される、
ＭｅＮＢ。
【請求項２８】
データの送信の前記スケジュールは、前記データの少なくとも一部が前記第２のリンクを介してスケジューリングされることを含む、
請求項２７に記載のＭｅＮＢ。
【請求項２９】
前記送受信回路は更に、前記ＵＥにウェイクアップ信号を送信して、前記第２のリンクに関連するエアインタフェースをウェイクアップさせるように前記ＵＥに指示するように構成される、
請求項２８に記載のＭｅＮＢ。
【請求項３０】
データの送信の前記スケジュールは、第１のデータが前記第１のリンクを介してスケジューリングされることを含み、
前記送受信回路は更に、前記モバイルプロキシから前記第１のデータを受信し、前記第１のリンクを介して前記第１のデータを前記ＵＥに送信するように構成される、
請求項２７乃至２９のいずれか一項に記載のＭｅＮＢ。
【発明の詳細な説明】
【技術分野】
【０００１】
関連出願の相互参照
本願は、２０１５年３月４日に出願された“OPPORTUNISTIC  ACCESS  OF  5G  MMWAVE  RAT  BASED  ON  EDGE  CLOUD  MOBILE  PROXY”（エッジクラウドモバイルプロキシに基づく5G  MMWAV  RATの便宜的アクセス）と題される米国仮出願第６２／１２８，００９号に対する優先権を主張し、その全開示は、全ての目的のために参照により本明細書に組み込まれる。
【０００２】
本開示の実施形態は、一般に、無線通信の分野に関し、より詳細には、無線エアインタフェースのスペクトルの便宜的アクセスを制御するための装置及び方法に関する。
【背景技術】
【０００３】
次世代の無線通信システムは、６ギガヘルツ（ＧＨｚ）以上の周波数帯域で無線スペクトルを利用することが期待され得る。６ＧＨｚより高い周波数帯域のチャネルは、一般に、ミリ波（mmWave）チャネルと呼ばれることがある。mmWaveチャネルは、ハイパス損失や準光学的伝搬（限定ではない）など、mmWaveチャネルの機能に起因してオンとオフを切り替えているようである。mmWaveチャネルがオンのとき、チャネル上の通信リンクは高いスループットレートを観測することがある。mmWaveチャンネルがオフのとき、通信リンクが失われることがある。様々なシナリオでは、オン／オフ動態は、通信環境とmmWave基地局の展開に依存することがある。ストリートキャニオン、街の広場、オフィス、ショッピングモールなどの多くの高関心通信シナリオでは、チャネルのオンオフ頻度とオフ時間を秒単位で設定することができる。
【０００４】
mmWaveチャネルの使用は、無線通信システムによってサポートされる全体のデータレートを増大させる可能性があるが、信頼性の高い通信を提供するためには、mmWaveチャネルの統合を改善する必要があるかもしれない。
【図面の簡単な説明】
【０００５】
実施形態は、添付の図面と併せて以下の詳細な説明によって容易に理解されるであろう。この説明を容易にするために、同じ参照番号は同様の構造要素を示す。実施形態は、添付図面の図において限定ではなく例として示される。
【図１】一部の実施形態に係るmmWaveチャネルのチャネルダイナミクスの例を示すグラフである
【図２】一部の実施形態に係るネットワーク通信環境を示す。
【図３】一部の実施形態に係る電子デバイス回路を示す。
【図４】一部の実施形態に係る無線通信回路を示す。
【図５】一部の実施形態に係るイーサネットコントローラを示す。
【図６】一部の実施形態に係るコンピューティングデバイスを示す。
【図７】一部の実施形態に係る、異なるデバイスの通信プロトコルスタックのモジュールのインタラクションを示す。
【図８】一部の実施形態に係るトラフィック及びフィードバックフローの概略図を示す。
【図９】一部の実施形態に係るレポート手順を示す。
【図１０】一部の実施形態に係る便宜的アクセス動作を示す。
【図１１】一部の実施形態に係るＴＣＰレート制御動作を示すフローチャートである。
【図１２】一部の実施形態に係る便宜的アクセス動作を示す。
【図１３】一部の実施形態に係る便宜的アクセス動作を示す。
【図１４】一部の実施形態に係るＴＣＰ管理動作のフローチャートを示す。
【図１５】一部の実施形態に係る便宜的アクセス動作を示す。
【図１６】一部の実施形態に係る例示的なコンピュータ可読記憶媒体を示す。
【発明を実施するための形態】
【０００６】
以下の詳細な説明では、本明細書の一部を形成する添付図面を参照する。図中、同様の参照番号は同様の部分を示し、実施可能な例示的な実施形態として示される。本開示の範囲から逸脱することなく、他の実施形態を利用することができ、構造的又は論理的な変更を行うことができることを理解されたい。
【０００７】
特許請求の範囲に記載の主題を理解する上で最も有用な方法で、様々な動作が複数の個別のアクション又は動作として説明されることがある。
【０００８】
しかしながら、説明の順序は、それらの動作が必ずしも順序に依存することを暗示するものと解釈されるべきではない。特に、それらの動作は提示順に実行されなくてよい。説明される動作は、記載された実施形態と異なる順序で実行されてよい。様々な追加の動作が実行されてもよいし、記載された動作が追加の実施形態において省略されてもよい。
【０００９】
本開示上、語句「Ａ又はＢ」は、（Ａ）、（Ｂ）又は（Ａ及びＢ）を意味する。本開示上、「Ａ、Ｂ又はＣ」は、（Ａ）、（Ｂ）、（Ｃ）、（Ａ及びＢ）、（Ａ及びＣ）、（Ｂ及びＣ）、又は（Ａ、Ｂ及びＣ）を意味する。
【００１０】
説明は、「一実施形態において」や「複数の実施形態において」という表現を用いることがあり、それぞれが同じ又は異なる実施形態の１つ以上を参照することができる。更に、本開示の実施形態に関して使用される語句「含む（comprising）」、「有する（including）」、「有する（having）」などは同義語である。
【００１１】
図１は、mmWaveチャネルのチャネルダイナミクスの例を示すグラフ１００である。特に、グラフ１００は、ユーザ機器（ＵＥ）が移動している期間にわたって、チャネルゲインをデシベル（ｄＢ）で示す。
【００１２】
mmWaveチャネル内の電波は、短波長（例えば５００ｍｍ未満）を有することがあり、大気、雨などによって吸収される電波によって生じ得る比較的高い減衰と関連していることがある。このような電波の波長が短いほど、拡散反射が増え、マルチパス伝播が起こり、フェーディングの問題を引き起こすことがある。更に、このような電波は、歩行者の速度であっても、周波数の著しいドップラーシフトに関連することがある。このようなmmWaveチャネルにおける電波の伝播の課題は、上記で簡単に紹介したように、チャネルが周期的にドロップアウトする結果に至ることがある。例えば、グラフ１００は、１秒後に始まり約６秒に続く期間中に、mmWaveチャネルがオンであり、約−９５ｄＢでピークになる有意なチャネルゲインを提供することができることを示す。しかしながら、６秒目の直後には、mmWaveチャネルが完全にオフになり、７秒目に近づくまでオンに戻らないことがある。このとき、mmWaveチャネルのチャネルゲインは約−１０５ｄＢまで増大することがある。したがって、１秒に近い時間の間、mmWaveチャネルは効果的にオフになり、チャネル上に確立された通信リンクはいずれもドロップされる。
【００１３】
グラフ１００によって示されるチャネル・オンオフ効果は、より低い周波数帯域と比較して、より高い周波数帯域における接続性及びトラフィック管理のために、異なる技術が利用され得ることを示唆する。本開示の実施形態は、低周波数帯域（例えば６ＧＨｚ未満）で動作する無線アクセス技術（ＲＡＴ）によって接続が維持される一方、高周波数帯域（例えば６ＧＨｚ超）で動作するＲＡＴは、利用可能なときに便宜的にチャネルにアクセスすることができることを提供する。実施形態は、不安定な便宜的アクセスリンクを安定した接続に変えるために適用され得るモバイルプロキシ及びトラフィックシェーピングを説明する。
【００１４】
本開示では、例えばモバイルプロキシを含む無線通信システムの構成要素による便宜的アクセス及びトラフィックシェーピングの実施例が説明される。
【００１５】
一部の実施形態では、便宜的アクセス及びトラフィックシェーピングは、マクロ進化型ノードＢ（ＭｅＮＢ）によって比較的安定した接続が提供されるアンカー−ブースタアーキテクチャに基づくことができ、一方、便宜的な通信リンクをサポートするために、比較的不安定であるが大容量の接続がスモールセルｅＢ（ＳｅＮＢ）によって提供される。
【００１６】
一部の実施形態は、追加的／代替的に、コアネットワーク内に存在し得るモバイルプロキシによって実装されるトラフィック制御メカニズムを含んでよい。モバイルプロキシは、エッジクラウドで便宜的リンク及びトラフィックバッファリングを管理することができる。本明細書で用いられるエッジクラウドは、無線アクセスネットワークのエンティティと直接インタフェースするコアネットワークのエンティティである。
【００１７】
様々な実施形態において、モバイルプロキシは、トランスポートネットワークを介したデータ転送の制御を提供するトランスポート層を終了させることができる。モバイルプロキシは、ネットワークトラフィックに悪影響を与える無線チャネル容量の変動を低減又は回避するために、トランスポートネットワーク上のデータ転送を制御し、ＵＥトラフィックをバッファリングすることができる。トランスポートネットワークは、トランスポート層（例えば伝送制御プロトコル（ＴＣＰ）レイヤ）で接続されたデバイスのネットワークを指す。トランスポートネットワークの終端は、例えば、モバイルプロキシや送信エンティティ（例えばアプリケーションサーバ）のような、ＴＣＰレイヤ動作を実行するデバイスであってよい。トランスポートネットワークは、終端を接続するためにコアネットワークをトラバースしてよい。
【００１８】
モバイルプロキシは、基礎となる無線アクセスネットワーク容量に適合するように、トランスポートネットワークトラフィックを操作することができる。アンカーｅＮＢ、例えばＭｅＮＢは、ＵＥとの無線リソース制御（ＲＲＣ）接続を維持することができる。様々な実施形態において、アンカーｅＮＢ又はモバイルプロキシは、トラフィックサイズ、トラフィックタイプ、サービス品質（ＱｏＳ）要件及びmmWave無線リンク品質に基づいて、ユーザプレーン内のmmWaveブースタセルの便宜的アクセスをスケジューリングすることができる。
【００１９】
mmWave帯域での平均ネットワーク容量が高い場合であっても、上述したチャネル・オンオフ効果に起因する劇的な無線リンクレートの変動を理由として、この高い無線ネットワークデータレートがトランスポートネットワークにとって常に有用であるとは限らない。よって、本開示では、エッジクラウド及び無線アクセスネットワークにおける便宜的アクセス手順が説明される。エッジクラウドにおけるバッファリング及びトランスポート層管理は、無線アクセスネットワーク内の不安定な便宜的アクセスリンクを円滑にするのに役立つ。トラフィックの操作とスケジューリングにより、不安定な便宜的アクセスリンクが安定した接続に変わる可能性がある。
【００２０】
図２は、一部の実施形態に係るネットワーク通信環境２００を示す。ネットワーク通信環境２００（或いは単に「環境２００」）は、コアネットワーク（ＣＮ）デバイス２０４（モバイルプロキシ２０６を含んでよい）、マクロ進化型ノードＢ（ＭｅＮＢ）２０８、スモールセル進化型ノードＢ（ＳｅＮＢ）２１２及びユーザ機器（ＵＥ）２１６を含む。
【００２１】
一部の実施形態では、ｅＮＢ２０８，２１２は、第３世代パートナーシッププロジェクト（３ＧＰＰ）によって開発された仕様及びプロトコル（例えば、限定ではないが、ロングタームエボリューション（ＬＴＥ）技術仕様書（ＴＳ））と一致する無線エアインタフェースを提供する進化型ユニバーサル地上無線アクセスネットワーク（Ｅ−ＵＴＲＡＮ）の一部であってよい。
【００２２】
本明細書で用いられる「ＬＴＥ」は、一般に、初代ＬＴＥ、LTE-Advanced（ＬＴＥ−Ａ）、５Ｇなどに関連するリリースを指すことがある。他の実施形態では、ｅＮＢ２０８，２１２は、限定ではないがＧＳＭ（登録商標）（Global  System  for  Mobile  Communication）、汎用パケット無線サービス（ＧＰＲＳ）、ユニバーサル移動通信システム（ＵＭＴＳ）、高速パケットアクセス（ＨＳＰＡ）、進化型ＨＳＰＡ（Ｅ−ＨＳＰＡ）などの、他のセルラシステムの一部であってよい。
【００２３】
ＣＮデバイス２０４は、ＵＥの全体制御及びベアラの確立を担うコアネットワーク（或いは、システム・アーキテクチャ・エボリューション（ＳＡＥ）の進化型パケットコア（ＥＰＣ））の一部であってよく、定義されたサービス品質（ＱｏＳ）を有するＩＰパケットフローであってよい。一部の実施形態では、ＣＮデバイス２０４は、コアネットワークのエッジにあると見なすことができ、したがって、エッジクラウドデバイスと呼ぶことができる。ＣＮデバイス２０４は、ＵＥ２１６がアイドル状態にあるときにデータベアラのためのローカルモビリティアンカーとして機能するサービングゲートウェイ（Ｓ−ＧＷ）を含んでよく、ＣＮのモビリティ管理エンティティ（ＭＭＥ）がベアラを再確立するためにＵＥ２１６のページングを開始する間に、ダウンリンクデータを一時的にバッファリングしてよい。Ｓ−ＧＷは、訪問先ネットワークにおいて管理機能を実行することもできる（例えば、課金目的でデータ使用統計を収集する）。
【００２４】
一部の実施形態では、ＣＮデバイス２０４は、追加的／代替的に、ＣＮの１つ以上の他の論理ノードを含んでよい。例えば、ＣＮデバイス２０４は、ＵＥ２１６についてのＩＰアドレス割当てと、ポリシー及び課金ルール機能（ＰＣＲＦ）からのルールに従うサービス品質（ＱｏＳ）施行及びフローベース課金とを担当するパケットデータネットワーク（ＰＤＮ）ゲートウェイ（Ｐ−ＧＷ）を含んでよい。ＣＮデバイス２０４は、追加的／代替的にＭＭＥを含んでよく、ＭＭＥは、例えば、非アクセス層（ＮＡＳ）プロトコルに基づくシグナリングなど、ＵＥ２１６とＣＮとの間のシグナリングを処理する制御ノードであってよい。ＭＭＥは、ベアラ管理（例えば、ＮＡＳプロトコルのセッション管理層によって処理されるベアラの確立、維持、解放）に関連する機能、（例えば、ＮＡＳプロトコル層内の接続又はモビリティ管理層によって処理されるような、ＣＮとＵＥ２１６との間の接続及びセキュリティの確立）に関連する機能、又は他のネットワークとのインタワーキングに関連する機能を実行してよい。
【００２５】
更に詳述するように、ＣＮデバイス２０４は、無線エアインタフェースを介した信頼性の高い通信を容易にするために、ＣＮのエッジでトランスポート層接続を管理するモバイルプロキシ２０６を含んでよい。一部の実施形態では、モバイルプロキシ２０６は、バッファリングを採用してよく、コアネットワークのトランスポート層機能を管理してよい。例えば、モバイルプロキシ２０６は、コアネットワーク（ＣＮデバイス２０４が配置される）をトラバースするトランスポートネットワークの接続を介して、送信エンティティからトラフィックを受信してよい。モバイルプロキシ２０６は、ＣＮデバイス２０４のメモリ回路内のトラフィックをバッファリングすることができ、無線アクセスネットワークをトラバースする接続を介して、無線アクセスネットワークのｅＮＢ（例えばＭｅＮＢ２０８又はＳｅＮＢ２１２）へトラフィックを送信させることができる。トラフィックが送信される正確な１つ又は複数のリンクのスケジューリングは、モバイルプロキシ２０６又はＭｅＮＢ２０８でのスケジューリングロジックによって決定されてよい。
【００２６】
モバイルプロキシ２０６は、リンク２２０，２２４の容量に関する情報を受信してよく、トラフィックが受信されたトランスポートネットワークのデータレートを制御してよい。このように、エッジクラウドデバイスとして動作するモバイルプロキシ２０６は、トランスポートネットワークを効果的に管理し、少なくとも、エアインタフェースのリンクを介してデータの有効な転送に参加することができる。環境２００は、異なるエンティティ間で送信され得るシグナリング手順及びメッセージタイプを指定する多数のインタフェースを有することができる。ｅＮＢは、Ｕｕインタフェースを介してＵＥ２１６と通信してよい。ｅＮＢは、Ｘ２インタフェースを介して互いに通信してよい。ｅＮＢは、ＳＩインタフェースを介してモバイルプロキシと通信してよい。ＳＧＷは、Ｓ５／Ｓ８インタフェースを介してＰＧＷと通信してよい。
【００２７】
ＭｅＮＢ２０８は、比較的大きなカバレッジエリアにわたってＵＥのための無線カバレッジを提供する比較的高出力のセルラ基地局であってよい。例えば、一部の実施形態では、ＭｅＮＢ２０８は、１〜２０キロメートル（ｋｍ）の距離にわたって無線カバレッジを提供することができる。一部の実施形態では、ＭｅＮＢ２０８は、数十ワットの出力を有することができる。
【００２８】
ＳｅＮＢ２１２は、ＭｅＮＢ２０８と比較して、相対的に小さいカバレッジエリアにわたってＵＥのための無線カバレッジを提供する比較的低電力のセルラ基地局であってよい。例えば、一部の実施形態では、ＳｅＮＢ２１２は、１０００メートル（ｍ）未満の距離にわたって無線カバレッジを提供することができる。一部の実施形態では、ＳｅＮＢ２１２は、数ワット未満の出力を有することができる。ＳｅＮＢ２１２は、様々な実施形態において、マイクロセル、ピコセル又はフェムトセルｅＮＢと呼ぶことができる。
【００２９】
ＭｅＮＢ２０８は、ＵＥ２１６との第１の通信リンクをサポートするために、より低い周波数帯域（例えば６ＧＨｚ未満）で動作する第１のＲＡＴを実装してよい。第１の通信リンクはアンカーリンクとも呼ばれ、ＵＥ２１６とネットワークとの間のシグナリング及びデータ交換のためのベースライン接続を提供することができる。
【００３０】
低周波数帯域は、周波数分割二重化（ＦＤＤ）に利用される進化型ユニバーサル地上無線アクセス（Ｅ−ＵＴＲＡ）動作帯域１−５，７−１４，１７−４，６５，６６、又は時分割二重化（ＴＤＤ）に利用されるＥ−ＵＴＲＡ動作帯域３３−４５を含んでよい。これらのＥ−ＵＴＲＡ動作帯域は、約７００ＭＨｚと３７００ＭＨｚとの間の周波数帯域を有することができる。他の実施形態では、ＧＳＭ（Global  System  for  Mobile  Communications）周波数帯域、ユニバーサル移動通信システム（ＵＭＴＳ）周波数帯域などの他の周波数帯域を用いることができ、これらは、高速ダウンリンクパケットアクセス（ＨＳＤＰＡ）ネットワーク、ＵＭＴＳネットワーク、ＷｉＭＡＸ（worldwide  interoperability  for  microwave  access）ネットワークなどの、他のタイプのネットワークのＲＡＴを用いても用いなくてもよい。
【００３１】
ＳｅＮＢ２１２は、ＵＥ２１６との第２の通信リンクをサポートするために、より高い周波数帯域（例えば６ＧＨｚ超）で動作する第２のＲＡＴを実装してよい。第２の通信リンクはブースタリンクとも呼ばれ、利用可能であれば、ＵＥ２１６とネットワークとの間でデータを交換するための追加のリソースを提供することができる。
【００３２】
より高い周波数帯域は、約５００ｍｍから１ｍｍの波長を有する電波を有することができる。本明細書上、この波長範囲は、「mmWave」波長と呼ばれることがある。より高い周波数帯域は、一部の実施形態では、電気電子技術者協会（ＩＥＥＥ）によって記述されるミリメートル帯域（１１０−３００ＧＨｚの周波数範囲と２．７３ｍｍから１ｍｍの波長範囲を有する）、国際電気通信連合（ＩＴＵ）無線帯域１０（６〜３０ＧＨｚ）、又はＩＴＵ無線帯域１１（３０〜３００ＧＨｚ）を含んでよい。
【００３３】
通信リンクの各々は、多数の異なる伝送層（例えば多入力多出力（ＭＩＭＯ）通信で用いられる）又は多数の異なるキャリア（例えばキャリアアグリゲーション環境で用いられる）を含むことができる。更に、調整されたマルチポイントシナリオにおいて、追加のｅＮＢ、送信ポイント又はリモート無線ヘッドを配備することができる。一般に、記載される実施形態は、本明細書で提供される説明と一致する様々なセルラネットワーク配備に組み込むことができる。
【００３４】
環境２００内の通信では、２つの異なる種類のデータフローを区別することができる。第１のデータフロー（ユーザプレーン（Ｕプレーン）と呼ぶことができる）は、エンドツーエンド接続のユーザ間で直接的且つ透過的に交換されるデータ、例えば音声データやインターネットプロトコル（ＩＰ）パケットを含んでよい。第２のデータフロー（制御プレーン（Ｃプレーン）と呼ぶことができる）は、ユーザとネットワークとの間で交換されるシグナリング情報を含んでよい。よって、Ｃプレーンは、コール確立のためのメッセージ又は例えば位置更新のためのメッセージを交換するための、シグナリング情報のために用いられてよい。
【００３５】
ＭｅＢ２０８とＳｅＢ２１２との間のＸ２インタフェースは、ＣプレーンとＵプレーンの両方のシグナリングを可能にすることができる。ＭｅＮＢ２０８とモバイルプロキシ２０６との間のＳＩインタフェースは、ＣプレーンとＵプレーンの両方のシグナリングを可能にすることができる。ＳｅＮＢ２１２とモバイルプロキシ２０６との間のＳＩインタフェースは、Ｕプレーンシグナリングを可能にすることができる。
【００３６】
一部の実施形態では、ＳｅＮＢ２１２のＣプレーン接続はＭｅＮＢ２０８にアンカーされてよく、ＭｅＮＢ２０８のＣプレーン接続はモバイルプロキシ２０６にアンカーされてよい。したがって、ＳｅＮＢ２１２は、ＭｅＮＢ２０８を介してネットワークとシグナリング情報を交換してよく、ＭｅＮＢ２０８は、ネットワークとシグナリング情報を直接交換してよい。一部の実施形態では、ＳｅＮＢ２１２のＵプレーン接続は、ＭｅＮＢ２０８又はＣＮデバイス２０４のモバイルプロキシ２０６とのものであってよい。
【００３７】
図３は、一部の実施形態に係る電子デバイス回路３００を示す。電子デバイス回路３００は、ｅＮＢ（例えばＭｅＮＢ２０８又はＳｅＮＢ２１２）、ＣＮデバイス２０４又はＵＥ２１６を実現してよく、組み込まれてよく、或いはそうでなければその一部であってよい。実施形態では、電子デバイス回路３００は通信回路３０４を含んでよい。通信回路３０４は、制御回路３０８と、送信回路３１６及び受信回路３２０を含む送受信回路３１２と、メディアインタフェース回路３２４とを含んでよい。
【００３８】
本明細書で使用する「回路」という用語は、１つ以上のソフトウェア又はファームウェアプログラムを実行する特定用途向け集積回路（ＡＳＩＣ）、電子回路、プロセッサ（共有、専用或いはグループ）又はメモリ（共有、専用或いはグループ）、組合わせ論理回路、その他の、記載された機能を提供する適切なハードウェアコンポーネントを指してよく、その一部であってよく、或いはそれらを含んでよい。一部の実施形態では、電子デバイス回路３００は、１つ以上のソフトウェア又はファームウェアモジュールにおいて実現されてよく、或いは、該回路に関連する機能が１つ以上のソフトウェア又はファームウェアモジュールによって実現されてもよい。
【００３９】
メディアインタフェース回路３２４は、送受信回路３１２を有線又は無線の通信媒体と通信可能に結合するように構成される回路要素を含んでよい。一部の実施形態では、メディアインタフェース回路３２４は、一般に示されるような（無線媒体を介する信号の送信／受信のための）１つ以上のアンテナ素子、増幅器、フィルタなどを含むことができる無線周波数フロントエンドコンポーネントを含んでよい。他の実施形態では、メディアインタフェース回路３２４は、他のネットワークとインタフェースするためのコンポーネントを含んでよい。例えば、一部の実施形態では、メディアインタフェース回路３２４はイーサネット（登録商標）インタフェースを含んでよく、例えば、同軸、ツイストペア、光ファイバ物理メディアインタフェースなどの、ポートその他のメディアインタフェースを含んでよい。
【００４０】
送受信回路３１２は、制御回路３０８をメディアインタフェース回路３２４と結合してよい。送受信回路３１２は、制御回路３０８から信号を受信し、様々な信号処理機能を実行して、メディアインタフェース回路３２４による適切な通信媒体を介して送信するための信号を準備してよい。送受信回路３１２はまた、メディアインタフェース回路３２４から信号を受信し、様々な信号処理機能を実行して、制御回路３０８への送信のために信号を準備してよい。電子デバイス回路３００が、例えばＵｕインタフェースの無線通信媒体とインタフェースする実施形態では、通信回路３０４は、１つ以上のデジタル信号プロセッサ（ＤＳＰ）とチャネルコードを含む通信アルゴリズム処理とを使用する無線周波数部分、混合信号部分及びアナログ部分、並びにベースバンド部分を含んでよい。この実施形態は、図４に関して更に詳細に説明される。
【００４１】
電子デバイス回路３００が例えばＳＩ、Ｘ２又はＳ５／Ｓ８インタフェースの有線通信媒体とインタフェースする実施形態では、通信回路３０４は、適切な通信ネットワークプロトコルに従って信号処理を提供してよい。例えば、通信回路３０４は、例えば１０ギガビットイーサネット、１０００ＢＡＳＥ−Ｔ、１００ＢＡＳＥ−ＴＸ、１０ＢＡＳＥ−Ｔ規格などのイーサネットプロトコルを実装するイーサネットコントローラを含んでよい。この実施形態は、図５に関して更に詳細に説明される。
【００４２】
制御回路３０８は、適切なネットワークを介した通信を容易にするために、リンク層（例えばメディアアクセス制御（ＭＡＣ）層）及び上位層の動作を実行する回路を含んでよい。一部の実施形態では、送受信回路３１２によってアナログＰＨＹ動作が実行されている場合にも、デジタル物理層（ＰＨＹ）動作が制御回路３０８によって実行されてよい。
【００４３】
本明細書で更に詳細に説明するように、制御回路３０８は、コアネットワークとＵＥとの間で行われる通信において、無線チャネル容量の変動を低減するように動作してよい。制御回路３０８は、無線チャネル容量の変動を低減し、無線インタフェースを介して信頼性の高い通信を提供する方式で、高周波数帯域の通信リンクの便宜的アクセスを可能にするために、様々なアクセスネットワーク制御動作を実行してよい。特に、アクセスネットワーク制御動作は、トラフィックレポート、スケジューリング、バッファリング／キャッシング、トラフィックシェーピング、レート制御などを含んでよい。これらの動作については、本明細書で更に詳細に説明する。
【００４４】
一部の実施形態では、制御回路３０８は、本明細書で説明される動作を実行するために、例えば、処理回路及びメモリ回路を含む様々な回路を含んでよい。一部の実施形態では、制御回路３０８は、例えばＣＮデバイス２０４などのＣＮデバイスからアクセスネットワーク制御動作を提供するモバイルプロキシを実装してよい。
【００４５】
図４は、一部の実施形態に係る無線通信回路４００を示す。無線通信回路４００は、電子デバイス回路３００に実装されて、無線接続を提供することができる。例えば、無線通信回路４００は、Ｕｕインタフェースを介して通信するためにＭｅＮＢ２０８、ＳｅＮＢ２１２又はＵＥ２１６において電子デバイス回路３００が採用される場合に用いられてよい。
【００４６】
無線通信回路４００は、少なくとも図示のように互いに結合されたベースバンド回路４０４、ＲＦ回路４０６、フロントエンド回路４０８及びアンテナ４１０を含んでよい。一般に、ベースバンド回路４０４は制御回路３０８に組み込まれてよく、ＲＦ回路４０６は送受信回路３１２に組み込まれてよく、フロントエンド（ＦＥ）回路４０８はメディアインタフェース回路３２４に組み込まれてよい。しかしながら、一部の実施形態では、１つのコンポーネントに関して説明される一部の機能が別のコンポーネントに実装されてよいことが理解されよう。
【００４７】
ベースバンド回路４０４は、限定されないが、１つ以上のシングルコア又はマルチコアプロセッサなどの回路を含んでよい。ベースバンド回路４０４は、ＲＦ回路４０６の受信信号パスから受信されるベースバンド信号を処理し、ＲＦ回路４０６の送信信号パス用のベースバンド信号を生成するための、１つ以上のベースバンドプロセッサ又は制御ロジックを含んでよい。ベースバンド処理回路４０４は、ベースバンド信号の生成及び処理、並びにＲＦ回路４０６の動作の制御のために、（通信回路４００をホストするプラットフォーム上の）アプリケーション回路とインタフェースしてよい。例えば、一部の実施形態では、ベースバンド回路４０４は、第２世代（２Ｇ）ベースバンドプロセッサ４０４ａ、第３世代（３Ｇ）ベースバンドプロセッサ４０４ｂ、第４世代（４Ｇ）ベースバンドプロセッサ４０４ｃ、又は第５世代（５Ｇ）ベースバンドプロセッサ４０４ｄを含んでよい。他の実施形態は、他の既存の世代、開発中の世代、或いは将来開発される世代のための他のベースバンドプロセッサを有してよい。
【００４８】
一部の実施形態では、ベースバンド回路４０４、ＲＦ回路４０６、ＦＥ回路４０８及びアンテナ４１０は、低周波数又は高周波数の帯域で無線通信専用のコンポーネントを有してよい。例えば、一部の実施形態では、４Ｇベースバンドプロセッサ４０４ｃは低周波数帯域での通信に用いられてよく、５Ｇベースバンドプロセッサ４０４ｄは高周波数帯域での通信に用いられてよい。
【００４９】
ベースバンド回路４０４（例えば、ベースバンドプロセッサ４０４ａ〜ｄの１つ以上）は、ＲＦ回路４０６を介して１つ以上の無線ネットワークとの通信を可能にする様々な無線制御機能を扱ってよい。無線制御機能は、信号変調／復調、符号化／復号化、無線周波数シフトなどを含んでよいが、これに限定されない。一部の実施形態では、ベースバンド回路４０４の変調／復調回路は、高速フーリエ変換（ＦＦＴ）、プリコーディング又はコンステレーションマッピング／デマッピング機能を含んでよい。一部の実施形態では、ベースバンド回路４０４の符号化／復号化回路は、畳み込み、テールビート畳み込み、ターボ、ビタビ、又は低密度パリティチェック（ＬＤＰＣ）エンコーダ／デコーダ機能を含んでよい。
【００５０】
変調／復調及びエンコーダ／デコーダ機能の実施形態は、これらの例に限定されず、他の実施形態では他の適切な機能を含んでよい。
【００５１】
一部の実施形態では、ベースバンド回路４０４は、例えば、ＰＨＹ、ＭＡＣ、無線リンク制御（ＲＬＣ）、パケットデータコンバージェンスプロトコル（ＰＤＣＰ）、無線リソース制御（ＲＲＣ）の要素を含む、Ｅ−ＵＴＲＡＮプロトコルの要素などのプロトコルスタックの要素を含んでよい。ベースバンド回路４０４の中央処理装置（ＣＰＵ）４０４ｅは、ＰＨＹ、ＭＡＣ、ＲＬＣ、ＰＤＣＰ又はＲＲＣ層のシグナリングのためにプロトコルスタックの要素を実行するように構成されてよい。プロトコルスタックの層については簡単に説明する。図４に関するプロトコルスタックの議論は、主にＥ−ＵＴＲＡプロトコルスタックに基づくが、説明の一部は非Ｅ−ＵＴＲＡプロトコルスタックにも対応してよい。
【００５２】
ＰＨＹ層は、例えば、ケーブル配線、配線、周波数、バイナリ信号を表現するために用いられるパルスなどの、ネットワークのハードウェア伝送技術を指すことができる。ＰＨＹ層は、エアインタフェースを介してＭＡＣトランスポートチャネルからの全ての情報を搬送することができ、リンク適応、電力制御、セルサーチ（初期同期及びハンドオーバ目的のため）及びＲＲＣレイヤの他の測定を扱うことができる。
【００５３】
ＭＡＣ層は、端末が共有媒体を用いて多元接続ネットワーク内で通信することを可能にするためのアドレッシング及びチャネルアクセス制御機構を提供することができる。ＭＡＣ層は、トランスポートチャネルを介して物理層と接続し、論理チャネルを介してＲＬＣ層と接続することができる。ＭＡＣ層は、論理チャネルとトランスポートチャネルとの間の多重化及び逆多重化を実行し、ハイブリッド自動再送要求（ＨＡＲＱ）、動的スケジューリング及びチャネル優先順位付けを介して誤り訂正を実行することができる。パケット無線ワイヤレスネットワークにおいて使用され得る複数のアクセスプロトコルは、符号分割多元接続（ＣＤＭＡ）及び直交周波数分割多元接続（ＯＦＤＭＡ）を含んでよい。
【００５４】
ＲＬＣ層は、サービスアクセスポイント（ＳＡＰ）を介してＰＤＣＰ層と通信し、論理チャネルを介してＭＡＣ層と通信することができる。ＲＬＣ層は、透過モード（ＴＭ）、非承認（unacknowledged）モード（ＵＭ）及び確認（acknowledged）モード（ＡＭ）の３つのモードのうちの１つで動作することができる。モードに応じて、ＲＬＣ層は、ＲＬＣサービスデータユニット（ＳＤＵ）及びプロトコルデータユニット（ＰＤＵ）に対して様々な動作を実行することができ、例えば、自動再送要求（ＡＲＱ）による誤り訂正、データ転送及び連結セグメンテーション、ＲＬＣ  ＳＤＵの再アセンブリ、ＲＬＣ  ＰＤＵの再セグメンテーション、重複検出、プロトコルエラー検出などを実行することができる。
【００５５】
ＰＤＣＰ層は、ユーザプレーンデータに対するヘッダ圧縮及び圧縮解除と、セキュリティ機能（例えば、ユーザプレーン及びコントロールプレーンデータの暗号化及び復号化、並びに制御プレーンデータのインテグリティ保護検証）と、ハンドオーバサポート機能（例えば、上位層ＰＤＵのシーケンス配信及び再配列、並びにＲＬＣ  ＡＭモードにマッピングされたユーザプレーンデータのためのハンドオーバ損失）と、タイムアウトに起因するユーザプレーンデータの破棄とを行うことができる。
【００５６】
ＲＲＣ層は、アクセス層（ＡＳ）内の機能を制御する役割を果たす主要層であってよい。ＲＲＣ層は、無線ベアを確立し、ＵＥとｅＮＢとの間のＲＲＣシグナリングを用いて下位層を構成することができる。ＲＲＣ層は、システム情報のブロードキャスト、ＲＲＣ接続制御、ネットワーク制御されたＲＡＴ間移動、測定構成レポートなどを提供することができる。
【００５７】
一部の実施形態では、ベースバンド回路は、１つ以上のオーディオデジタル信号プロセッサ（ＤＳＰ）４０４ｆを含んでよい。オーディオＤＳＰ４０４ｆは、圧縮／復元及びエコー消去のための要素を含んでよく、他の実施形態では他の適切な処理要素を含んでよい。
【００５８】
ベースバンド回路４０４は、メモリ／ストレージ４０４ｇを更に含んでよい。
【００５９】
メモリ／ストレージ４０４ｇは、ベースバンド回路４０４のプロセッサによって実行される動作のためのデータ又は命令をロード及び格納するために用いられてよい。一実施形態のメモリ／ストレージ４０４ｇは、適切な揮発性メモリ又は不揮発性メモリの任意の組合わせで具体化されるコンピュータ可読記憶媒体を含んでよい。メモリ／ストレージ４０４ｇは、限定ではないが、埋め込まれたソフトウェア命令（例えばファームウェア）を有する読出専用メモリ（ＲＯＭ）、ランダムアクセスメモリ（例えばダイナミックランダムアクセスメモリ（ＤＲＡＭ））、キャッシュ、バッファなどを含む、様々なレベルのメモリ／ストレージの任意の組合わせを含んでよい。メモリ／ストレージ４０４ｇは、様々なプロセッサ間で共有されてもよいし、特定のプロセッサ専用であってもよい。
【００６０】
一部の実施形態では、ベースバンド回路４０４のコンポーネントは、単一のチップ又は単一のチップセットで適切に組み合わせられてよく、或いは、同じ回路基板上に配置されてよい。一部の実施形態では、ベースバンド回路４０４、ＲＦ回路４０６又はＦＥ回路４０８の構成要素の一部又は全部は、例えば、システムオンチップ（ＳＯＣ）上などで共に実装されてよい。一部の実施形態では、ベースバンド回路４０４は、１つ以上のＲＡＴと互換性のある通信を提供してよい。例えば、一部の実施形態では、ベースバンド回路４０４は、Ｅ−ＵＴＲＡＮ又は他の無線メトロポリタンエリアネットワーク（ＷＭＡＮ）、無線ローカルエリアネットワーク（ＷＬＡＮ）、ワイヤレスパーソナルエリアネットワーク（ＷＰＡＮ）との通信をサポートしてよい。一部の実施形態では、ベースバンド回路４０４は、高周波数帯域と低周波数帯域の両方を用いる通信をサポートしてよい。ベースバンド回路４０４が２つ以上の無線プロトコルの無線通信をサポートするように構成される実施形態は、マルチモードベースバンド回路と呼ぶことができる。
【００６１】
ＲＦ回路４０６は、非固体媒体を介して変調された電磁放射線を用いて、無線ネットワークとの通信を可能にすることができる。様々な実施形態において、ＲＦ回路４０６は、無線ネットワークとの通信を容易にするためのスイッチ、フィルタ、増幅器などを含んでよい。ＲＦ回路４０６は、ＦＥ回路４０８から受信されたＲＦ信号をダウンコンバートし、ベースバンド回路４０４にベースバンド信号を供給する回路を含むことができる受信信号パスを含んでよい。ＲＦ回路４０６はまた、ベースバンド回路４０４によって提供されるベースバンド信号をアップコンバートし、ＲＦ出力信号を送信のためにＦＥ回路４０８に提供するための回路を含む送信信号パスを含んでよい。
【００６２】
一部の実施形態では、ＲＦ回路４０６は、受信信号パス及び送信信号パスを含んでよい。ＲＦ回路４０６の受信信号パスは、ミキサ回路４０６ａ、増幅器回路４０６ｂ及びフィルタ回路４０６ｃを含んでよい。ＲＦ回路４０６の送信信号パスは、フィルタ回路４０６ｃ及びミキサ回路４０６ａを含んでよい。ＲＦ回路４０６はまた、受信信号パスのミキサ回路４０６ａ及び送信信号パスによって用いられる周波数を合成する合成回路４０６ｄを含んでもよい。一部の実施形態では、受信信号パスのミキサ回路４０６ａは、合成回路４０６ｄによって提供された合成周波数に基づいて、ＦＥ回路４０８から受信されたＲＦ信号をダウンコンバートするように構成されてよい。増幅器回路４０６ｂは、ダウンコンバートされた信号を増幅するように構成されてよく、フィルタ回路４０６ｃは、ダウンコンバートされた信号から不要な信号を除去して、出力ベースバンド信号を生成するように構成されるローパスフィルタ（ＬＰＦ）又はバンドパスフィルタ（ＢＰＦ）であってよい。出力ベースバンド信号は、更なる処理のためにベースバンド回路４０４に供給されてよい。一部の実施形態では、出力ベースバンド信号は、ゼロ周波数ベースバンド信号であってよいが、これは要件ではない。一部の実施形態では、受信信号パスのミキサ回路４０６ａはパッシブミキサを含んでよいが、実施形態の範囲はこの点に限定されない。
【００６３】
一部の実施形態では、送信信号パスのミキサ回路４０６ａは、合成回路４０６ｄによって提供された合成周波数に基づいて入力ベースバンド信号をアップコンバートして、ＦＥ回路４０８のＲＦ出力信号を生成するように構成されてよい。ベースバンド信号は、ベースバンド回路４０４によって提供されてよく、フィルタ回路４０６ｃによってフィルタリングされてよい。フィルタ回路４０６ｃはローパスフィルタ（ＬＰＦ）を含んでよいが、実施形態の範囲はこの点に限定されない。
【００６４】
一部の実施形態では、受信信号パスのミキサ回路４０６ａと送信信号パスのミキサ回路４０６ａは、２つ以上のミキサを含んでよく、それぞれ直交ダウンコンバージョン又はアップコンバージョンのために配置されてよい。一部の実施形態では、受信信号パスのミキサ回路４０６ａと送信信号パスのミキサ回路４０６ａは、２つ以上のミキサを含んでよく、画像拒絶（例えばハートレー画像拒絶）のために配置されてよい。一部の実施形態では、受信信号パスのミキサ回路４０６ａと送信信号パスのミキサ回路４０６ａは、それぞれ直接ダウンコンバージョン又は直接アップコンバージョンのために配置されてよい。一部の実施形態では、受信信号パスのミキサ回路４０６ａと送信信号パスのミキサ回路４０６ａは、スーパーヘテロダイン動作用に構成されてよい。
【００６５】
一部の実施形態では、出力ベースバンド信号及び入力ベースバンド信号はアナログベースバンド信号であってよいが、実施形態の範囲はこの点に限定されない。一部の代替実施形態では、出力ベースバンド信号及び入力ベースバンド信号は、デジタルベースバンド信号であってよい。このような代替実施形態では、ＲＦ回路４０６は、アナログ−デジタル変換器（ＡＤＣ）及びデジタル−アナログ変換器（ＤＡＣ）回路を含んでよく、ベースバンド回路４０４は、ＲＦ回路４０６と通信するデジタルベースバンドインタフェースを含んでよい。
【００６６】
一部のデュアルモードの実施形態では、別個の無線ＩＣ回路が各スペクトルの信号を処理するために提供されてよいが、実施形態の範囲はこの点に限定されない。
【００６７】
一部の実施形態では、合成回路４０６ｄは、フラクショナルＮ合成器又はフラクショナルＮ／Ｎ＋１合成器であってよいが、他のタイプの周波数合成器が適するときは、実施形態の範囲はこれに限定されない。例えば、合成回路４０６ｄは、デルタシグマ合成器、周波数乗算器、又は分周器を備える位相同期ループを含む合成器であってよい。
【００６８】
合成回路４０６ｄは、周波数入力及び除算器制御入力に基づいて、ＲＦ回路４０６のミキサ回路４０６ａによって用いられる出力周波数を合成するように構成されてよい。一部の実施形態では、合成回路４０６ｄは、フラクショナルＮ／Ｎ＋１合成器であってよい。
【００６９】
一部の実施形態では、周波数入力は電圧制御発振器（ＶＣＯ）によって提供されてよいが、これは要件ではない。除算器制御入力は、所望の出力周波数に応じて、ベースバンド回路４０４かアプリケーションプロセッサのいずれかによって提供されてよい。一部の実施形態では、アプリケーションプロセッサによって示されるチャネルに基づき、ルックアップテーブルから、除算器制御入力（例えばＮ）が決定されてよい。
【００７０】
ＲＦ回路４０６の剛性回路４０６ｄは、除算器、遅延ロックループ（ＤＬＬ）、マルチプレクサ及び位相アキュムレータを含んでよい。一部の実施形態では、除算器はデュアルモジュラスデバイダ（ＤＭＤ）であってよく、位相アキュムレータはデジタル位相アキュムレータ（ＤＰＡ）であってよい。一部の実施形態では、ＤＭＤは、フラクショナル分割比を提供するために、入力信号をＮ又はＮ＋１（例えばキャリーアウトに基づく）で分割するように構成されてよい。一部の例示的な実施形態では、ＤＬＬは、直列の、調整可能な遅延素子、位相検出器、チャージポンプ及びＤ型フリップフロップのセットを含んでよい。このような実施形態では、遅延素子は、ＶＣＯ期間をＮｄ個の等しい位相のパケットに分割するように構成されてよく、Ｎｄは遅延線の遅延素子の数である。このように、ＤＬＬはネガティブフィードバックを提供し、遅延線を通る総遅延が１ＶＣＯサイクルになるようにする。
【００７１】
一部の実施形態では、合成回路４０６ｄは、出力周波数としてキャリア周波数を生成するように構成されてよい。一方、他の実施形態では、出力周波数は、キャリア周波数の倍数（例えば、キャリア周波数の２倍、キャリア周波数の４倍）であってよく、互いに対して複数の異なる位相を有する複数の信号をキャリア周波数で生成するために、直交発生器及び除算器回路と共に用いられてよい。一部の実施形態では、出力周波数はＬＯ周波数（ｆＬＯ）であってよい。一部の実施形態では、ＲＦ回路４０６は、ＩＱ／ポーラコンバータを含んでよい。
【００７２】
ＦＥ回路４０８は受信信号パスを含んでよく、受信信号パスは、１つ以上のアンテナ４１０から受信されたＲＦ信号で動作し、受信信号を増幅し、受信信号の増幅されたバージョンを更なる処理のためにＲＦ回路４０６に提供するように構成される回路を含んでよい。ＦＥ回路４０８はまた、送信信号パスを含んでよく、送信信号パスは、１つ以上のアンテナ４１０の１つ以上による送信のためにＲＦ回路４０６によって提供される、送信のための信号を増幅するように構成される回路を含んでよい。一部の実施形態では、ＦＥ回路４０８は、送信モード動作と受信モード動作とを切り替えるためのＴＸ／ＲＸスイッチを含んでよい。ＦＥ回路４０８は、受信信号パス及び送信信号パスを含んでよい。ＦＥ回路４０８の受信信号パスは、受信ＲＦ信号を増幅し、増幅された受信ＲＦ信号を出力として（例えば、ＲＦ回路４０６に）供給する低ノイズ増幅器（ＬＮＡ）を含んでよい。ＦＥ回路４０８の送信信号パスは、入力ＲＦ信号（例えば、ＲＦ回路４０６によって提供される）を増幅するための電力増幅器（ＰＡ）と、（例えば、１つ以上のアンテナ４１０の１つ以上による）次の送信のためのＲＦ信号を生成する１つ以上のフィルタとを含んでよい。
【００７３】
図５は、一部の実施形態に係るイーサネットコントローラ５００を示す。イーサネットコントローラ５００は、有線接続を提供するために電子デバイス回路３００に実装されてよい。例えば、ＳＩ又はＳ５／Ｓ８インタフェースを介して通信するためのＳＩ若しくはＸ２インタフェース又はＣＮデバイス２０４を介して通信するために、電子デバイス回路３００がＣＮデバイス２０４、ＭｅＮＢ２０８又はＳｅＮＢ２１２において使用される場合、イーサネットコントローラ５００が用いられてよい。
【００７４】
イーサネットコントローラ５００は、イーサネットコントローラ５００をホストプラットフォームに結合するためのホストインタフェース５１２を含んでよい。一部の実施形態では、ホストインタフェース５１２は、周辺コンポーネント相互接続エクスプレス（ＰＣＩｅ）バスなどの、シリアル拡張バスと結合するためのバスインタフェースであってよい。一部の実施形態では、ホストインタフェース５１２は、管理容易性及び性能上の理由から、ＰＣＩｅリソースの分離を可能にする単一ルート入出力仮想化（ＳＲ−ＩＯＶ）を有するＰＣＩｅエンドポイントであってよい。これにより、仮想環境内の異なる仮想マシンが単一のＰＣＩｅハードウェアインタフェースを共有できるようになる。他の実施形態では、ホストインタフェース５１２は、ＰＣＩｅバスが異なる物理マシン上の異なる仮想マシン間でリソースを共有することを可能にする、複数のルート入出力仮想化を有するＰＣＩｅエンドポイントであってよい。
【００７５】
イーサネットコントローラ５００は、キュー管理及びスケジューリング（ＱＭＳ）回路５１６を含んでよい。ＱＭＳ回路５１６（ネットワーク又はパケットスケジューラとも呼ばれる）は、イーサネットコントローラ５００によるパケットの送信及び受信を制御するためにキューイング／スケジューリングアルゴリズムを採用してよい。ＱＭＳ回路５１６は、イーサネットコントローラ５００の送信キュー及び受信キュー内のネットワークパケットのシーケンスを管理してよい。一部の実施形態では、ＱＭＳ回路５１６は、複数の異なるキューを含んでよく、各キューは、構成されたパケット分類ルールに従って１つのフローのパケットを保持する。例えば、パケットは、そのソース及び宛先のＩＰアドレス、サービス品質要件などにより、フローに分割されてよい。一部の実施形態では、受信側スケーリングを実行して、ホストプラットフォームの利用可能な処理コアにわたって着信パケットを拡散するために、ＱＭＳ回路５１６はイーサネットコントローラ５００によって使用されてよい。ＱＭＳ回路５１６は、別のコアがパケットのターゲットであるアプリケーションを実行中であっても、パケットが利用可能な処理コアに向けられるのを避けるために着信パケットを直接正しいコアに配置するインテリジェントオフロードを含む、フロー方向機能を更に提供してよい。
【００７６】
イーサネットコントローラ５００は、プロトコル加速／オフロード（Ａ／Ｏ）回路５２０を更に含んでよい。プロトコルＡ／Ｏ回路５２０は、特定のプロトコル又は特定のプロトコルの機能の処理をホストプロセッサからオフロードしてよい。例えば、一部の実施形態では、プロトコルＡ／Ｏ回路５２０は、ＴＣＰ／ＩＰスタックの処理をホストプラットフォームからイーサネットコントローラ５００にオフロードするＴＣＰオフロードエンジンを含んでよい。これは、ギガビットイーサネットや１０ギガビットイーサネットなどの高速ネットワークインタフェースで特に有用であり得る。オフロードされた処理は、トランスポート層接続確立、受信パケットの確認応答、チェックサム及びシーケンス番号計算、スライディングウィンドウ計算、トランスポート層接続終了などの、ＴＣＰの接続指向性に関連する動作を含んでよい。
【００７７】
一部の実施形態では、プロトコルＡ／Ｏ回路５２０は、モバイルプロキシのトランスポート層動作を実行して、本明細書で更に詳細に説明されるように、高周波数帯域におけるリンクの便宜的アクセスを容易にすることができる。
【００７８】
イーサネットコントローラ５００は、トラフィック分類器５２４を更に含んでよい。トラフィック分類器５２４は、様々なパラメータ（例えばポート番号、プロトコルなど）に従ってトラフィックを複数のトラフィッククラスに分類するプロセスを実現することができる。各トラフィッククラスは、イーサネットコントローラ５００によって提供されるサービスを区別するために、異なって扱われてよい。
【００７９】
イーサネットコントローラ５００は、更に、例えば衝突検出（ＣＳＭＡ／ＣＤ）プロトコルによるキャリアセンス多重アクセスを用いて、イーサネットコントローラ５００のためのＭＡＣ層動作を実行するメディアアクセスコントローラ５２８を含んでよい。メディアアクセスコントローラ５２８は、例えば４０Ｇｂ／ｓ、１０Ｇｂ／ｓ、１Ｇｂ／ｓといった異なる速度で動作するように構成されてよい、複数の全二重イーサネットＭＡＣポートを含んでよい。
【００８０】
イーサネットコントローラ５００は更に、イーサネットＰＨＹレイヤ動作を実行するためのＰＨＹ５３２を含んでよい。一部の実施形態では、ＰＨＹ５３２は、通信媒体（例えばバックプレーン、直接接続されたツインアキシャル銅ケーブルアセンブリ）に直接接続されるインタフェース、或いは、イーサネット（登録商標）インタフェース（場合によっては外部ＰＨＹと見なすことができる）を介するインタフェースを含んでよい。ＰＨＹ５３２は、イーサネットのライン変調のアナログドメインと、メディアアクセスコントローラ５２８によって実行されるリンク層パケットシグナリングのデジタルドメインとの間でインタフェースしてよい。一部の実施形態では、ＰＨＹ回路は、動作と複数の異なるリンク速度（例えば４０Ｇｂ／ｓ、１０Ｇｂ／ｓ、１Ｇｂ／ｓ又は１００Ｍｂ／ｓ）について考えられるマルチレート媒体アタッチメントユニットインタフェース（ＭＡＵＩ）を含んでよい。
【００８１】
イーサネットコントローラ５００は更に、様々なオンチップ管理機能を実行するコントローラ又はプロセッサを有する帯域内管理回路５３６を含んでよい。帯域内管理回路５３６は、システム管理バス（ＳＭＢｕｓ）を介してオフチップ管理コントローラとインタフェースしてよく、ネットワークコントローラ側波帯インタフェース（ＮＣ−ＳＩ）とインタフェースしてよく、或いは、例えば管理コンポーネントトランスポートプロトコル（ＭＣＴＰ）を用いてＰＣＩｅを介して通信するホストインタフェース５１２の接続とインタフェースしてよい。
【００８２】
帯域内管理回路５３６は、イーサネットコントローラによって実行されるが他の回路（例えばイーサネットのデバイスドライバ）によっては実行されない管理任務を扱うベースボード管理コントローラ又は内蔵管理プロセッサユニットを含んでよい。一部の実施形態では、これらの任務は、パワーオンシーケンスの一部を実行することと、ＡＱコマンドを処理することと、ポートを初期化することと、データセンターブリッジ機能交換（ＤＣＢＸ）やその他のリンク層ディスカバリプロトコル（ＬＬＤＰ）などの様々なファブリック構成プロトコルに参加することと、管理インタフェースによって受信された構成要求を処理することと、を含んでよい。
【００８３】
電子デバイス回路３００がイーサネットコントローラ５００を組み込む実施形態では、ＰＨＹ５３２は、送受信回路３１２（更に可能であれば、メディアインタフェース回路３２４）に組み込まれてよく、イーサネットコントローラ５００の他のコンポーネントは、制御回路３０８に組み込まれてよい。
【００８４】
図６は、一部の実施形態に係るコンピューティングデバイス６００を示す。
【００８５】
コンピューティングデバイス６００は、電子デバイス回路６０８と結合されたプラットフォーム回路６０４を含んでよい。
【００８６】
電子デバイス回路６０８は、電子デバイス回路３００と同様の、或いは実質的に交換可能な回路を含んでよい。
【００８７】
プラットフォーム回路６０４は、メモリ／ストレージ６１６と結合された処理回路６１２を含んでよい。処理回路６０４は、コンピュータプログラムの命令によって指定される基本的な算術動作、論理動作、制御動作又は入出力動作を実行するように設計された構成可能又は構成不可能な回路の任意のタイプ又は組合わせを含んでよい。処理回路６０４は、１つ以上のシングルコア又はマルチコアプロセッサを含んでよく、汎用プロセッサ及び専用プロセッサの任意の組合わせを含んでよい。一部の実施形態では、処理回路６０４は、アプリケーションプロセッサ、通信プロセッサ、マイクロプロセッサ、ＡＳＩＣ、縮小命令セットコンピュータ（ＲＩＳＣ）、ＤＳＰ、コプロセッサ、組合わせ論理回路、コントローラ（例えばメモリ、ブリッジ、バス）などを含んでよい。
【００８８】
処理回路６０４は、メモリ／ストレージ６１６と結合されてよく、メモリ／ストレージ６１６に格納された命令を実行して、デバイス６００上で動作する様々なアプリケーション又はオペレーティングシステムを有効化するように構成されてよい。
【００８９】
メモリ／ストレージ回路６１６は、デジタルコンテンツ（データ、命令など）を一時的（transitory）に、一時的（temporary）に、半永久的に又は永続的に保持し、所定のイベントの発生時に、デジタルコンテンツを別の回路コンポーネント（例えば処理回路６１２）に提供することが可能な、構成可能又は構成不可能な回路の任意のタイプ又は組合わせを含んでよい。メモリ／ストレージ回路６１６は、限定ではないが、ランダムアクセスメモリ（ＲＡＭ）（例えば、スタティックＲＡＭ（ＳＲＡＭ）、ダイナミックＲＡＭ（ＤＲＡＭ）を含む）、リードオンリーメモリ（ＲＯＭ）（例えば、電気的消去可能プログラム可能ＲＯＭ（ＥＥＰＲＯＭ）を含む）、キャッシュ（ＬＩ、Ｌ２等）、バッファ等を含んでよい。
【００９０】
プラットフォーム回路６０４は、一般に、デバイスが実装されるプラットフォームに関連する上位層機能を実行することができ、電子デバイス回路６０８は、一般に、適切なネットワークインタフェースを介した通信に関連する下位層機能を実行することができる。
【００９１】
総合的に、プラットフォーム回路６０４及び電子デバイス回路６０８は、コンピュータハードウェア及びソフトウェアリソースを管理し、且つ、コンピュータプログラムに様々なサービスを提供するオペレーティングシステム６２０と、ユーザに対してタスク又はアクティビティを実行するためのアプリケーション６２４と、デバイスのモジュール（例えばアプリケーション６２４）を、ネットワークを介して、他のデバイスによって実装されたモジュールと通信可能に接続するための通信プロトコルスタック６２８と、を提供する１つ以上のモジュールを実装してよい。
【００９２】
通信プロトコルスタック６２８（或いは単に「スタック６２８」）は、上述のような電子デバイス回路６０８によって実現される層、例えばＰＨＹ層、ＭＡＣ層、ＲＬＣ層、ＰＤＣＰ層、ＲＲＣ層を含んでよい。スタック６２８は更に、インターネット層、トランスポート層、アプリケーション層などの、プラットフォーム回路６０４によって実現される層を含んでよい。アプリケーション層は、ＩＰネットワークを介して送信される通信を処理するために用いられる通信プロトコル及びインタフェース方法を含んでよい。
【００９３】
トランスポート層は、ホストツーホストデータ転送チャネルを確立し、クライアントツーサーバ又はピアツーピアネットワーキングモデルにおけるデータ交換を管理することができる。トランスポート層は、ＴＣＰ又はユーザデータグラムプロトコル（ＵＤＰ）を含むことができる。ＴＣＰ機能は、例えば、「3-way  handshake」（SYNchronize；SYNchronize-ACKnowledge；ACKnowledge）を用いた接続確立と、パケットが遠端で受信されたときのパケットの確認応答、エンドポイント間のメッセージフローひいてはプロトコル負荷の追加と、チェックサムとシーケンス番号の計算（再び、実行する汎用ＣＰＵの負担）と、パケット肯定応答及び輻輳制御のためのスライディングウィンドウ計算と、接続終了と、を含んでよい。
【００９４】
インターネット層は、ネットワーク境界を越えて発信ホストからデータグラム（パケット）をトランスポートするために用いられる動作を指すことができる。インターネット層は、例えば、ＩＰプロトコル（例えばＩＰバージョン４、ＩＰバージョン６など）、ＩＰセキュリティプロトコル（例えばＩＰｓｅｃ）などを含んでよい。
【００９５】
アクセスネットワーク制御動作を実行するために用いられる制御回路は、電子デバイス回路において実現されるものとして、図３において上述した。しかしながら、一部の実施形態では、制御回路の一部又は全部は、プラットフォーム回路、例えばプラットフォーム回路６０４において実現されてよい。更に、特定の層の機能は、プラットフォーム回路６０４又は電子デバイス回路６０８のいずれかによって実現されると説明されるが、他の実施形態では、該機能は他の回路によって実行されてよい。例えば、モバイルプロキシ２０６によって実行される機能を含むトランスポート層機能は、プラットフォーム回路６０４によって、又は電子デバイス回路６０８のプロトコルＡ／Ｏ回路によって実行されてよい。
【００９６】
コンピューティングデバイス６００がＣＮデバイス２０４などのＣＮデバイスである実施形態では、コンピューティングデバイス６００は、コンピューティングデバイス６００は、モバイルプロキシ２０６などのモバイルプロキシを実装してよい。モバイルプロキシは、ＯＳ６２０、アプリケーション６２４又はスタック６２８のモジュールを含んでよい。一部の実施形態では、モバイルプロキシは、本明細書で説明する動作を実行するために、プラットフォーム回路６０４又は電子デバイス回路６０８の回路要素を追加的／代替的に含んでよい。
【００９７】
一部の実施形態では、特に、コンピューティングデバイス６００がＵＥ（例えばＵＥ２１６）である場合、コンピューティングデバイス６００は、入出力インタフェース６３２、センサ６３６及びディスプレイ（複数可）６４０も含んでよい。様々な実施形態において、Ｉ／Ｏインタフェース６３２は、システムとのユーザインタラクションを可能にするように設計された１つ以上のユーザインタフェース、或いは、システムとの周辺機器インタラクションを可能にするように設計された周辺機器インタフェースを含んでよい。ユーザインタフェースは、物理的なキーボード又はキーパッド、タッチパッド、スピーカ、マイクなどを含んでよいが、これに限定されない。周辺機器インタフェースは、不揮発性メモリポート、ユニバーサルシリアルバス（ＵＳＢ）ポート、オーディオジャック及び電源インタフェースを含んでよいが、これらに限定されない。
【００９８】
様々な実施形態において、センサ６３６は、システムに関連する環境条件及び／又は位置情報を決定する１つ以上の検知デバイスを含んでよい。一部の実施形態では、センサは、ジャイロセンサ、加速度計、近接センサ、周囲光センサ及び位置決めユニットを含んでよいが、これらに限定されない。また、位置決めユニットは、位置決めネットワーク（例えば全地球測位システム（ＧＰＳ）衛星）のコンポーネントと通信するために、ベースバンド回路又はＲＦ回路の一部であってよく、或いはベースバンド回路又はＲＦ回路とインタラクトしてよい。
【００９９】
様々な実施形態において、ディスプレイ６４０は、ディスプレイ（例えば液晶ディスプレイ、タッチスクリーンディスプレイなど）を含んでよい。
【０１００】
図７は、一部の実施形態に係る、異なるデバイスのスタックのモジュールのインタラクションを示す。特に、図７は、アプリケーションサーバ７０８及びｅＮＢ（例えばＭｅＮＢ２０８及びＳｅＮＢ２１２）と結合された、ＣＮデバイス２０４内のモバイルプロキシ２０６を示す。ｅＮＢ２０８／２１２は更に、ＵＥ２１６と結合されてよい。
【０１０１】
図７の各コンポーネントは、例えばスタック６２８などの通信プロトコルスタックのモジュールを含んでよい。特に、モバイルプロキシ２０６は、ＴＣＰモジュール７２０、ＩＰモジュール７２４、トランスポートＩＰネットワークモジュール７２８及びトランスポート無線エアインタフェースモジュール７３２を含んでよい。アプリケーションサーバ７０８は、アプリケーション層モジュール７３６、ＴＣＰモジュール７４０、ＩＰモジュール７４４及びトランスポートＩＰネットワークモジュール７４８を含んでよい。ｅＮＢ２０８／２１２は、トランスポート無線エアインタフェースモジュール７５２を含んでよい。ＵＥ２１６は、アプリケーション層モジュール７５６及びトランスポート無線エアインタフェースモジュール７６０を含んでよい。
【０１０２】
図７のコンポーネントのモジュールは、アプリケーションサーバ７０８のアプリケーション層モジュール７３６とＵＥ２１６のアプリケーション層モジュール７５６との間のデータの伝送を容易にするように調整することができる。
【０１０３】
一般に、ＴＣＰモジュール７２０，７４０は、トランスポート層動作を実行し、２つのモジュール間のトランスポート接続を管理することができる。ＩＰモジュール７２４，７４４は、インターネット層動作を実行することができる。トランスポートＩＰネットワークモジュール７２８，７４８は、Ｌ２（リンク層）及びＬＩの動作を実行することができる。トランスポート無線エアインタフェースモジュール７３２，７５２，７６０は、ＲＲＣ−ＬＩ動作を実行することができる。
【０１０４】
モバイルプロキシ２０６は、ＴＣＰモジュール７２０を用いて、コアネットワークとのＴＣＰ層インタフェースを維持することができる。ＴＣＰモジュール７２０，７４０によって実行されるＴＣＰ動作は、限定ではないが、接続確立、接続終了、リソース使用、データ転送などの、トランスポート層接続の管理に関連する動作を含んでよい。データ転送に関して、ＴＣＰモジュール７２０，７４０は、順序付けられたデータ転送（受信モジュールがシーケンス番号に従ってパケットを再配列すること）と、失われたパケットの再送信（応答の欠如又は否定応答が、送信モジュールがパケットを再送信することにつながる）と、フロー制御（送信側がデータを転送する速度を制限して保証するため）と、輻輳制御とを提供することができる。
【０１０５】
ＴＣＰモジュール７２０とＴＣＰモジュール７４０との間のフロー又は輻輳制御を含むことができるＴＣＰレート制御動作は、以下の通りである。ＴＣＰモジュール７２０は、ＴＣＰモジュール７２０とＴＣＰモジュール７４０との間のトランスポートネットワークのデータレートを決定することができる。ＴＣＰモジュール７２０は、無線アクセスネットワークの容量、例えば、トランスポート無線エアインタフェースモジュール７５２とトランスポート無線エアインタフェースモジュール７６０との間の接続の容量を決定することもできる。トランスポートネットワークのデータレートが無線アクセスネットワークの容量よりも高い場合、ＴＣＰモジュール７２０は、トランスポートネットワークを介して送信されるパケットのデータレートを低減するように、アプリケーションサーバ７０８のＴＣＰモジュール７４０に通知するために、例えば、トランスポート層データ転送管理メッセージなどのフィードバックを生成することができ、これにより、トランスポートネットワークのデータレートが無線アクセスネットワークの容量以下になるように低減することができる。
【０１０６】
一部の実施形態では、トランスポート層データ転送管理メッセージは、否定応答（ＮＡＣＫ）を含むＴＣＰメッセージを含んでよい。ＩＰパケットがＴＣＰモジュール７２０によって正常に受信されたとしても、ＮＡＣＫはＴＣＰメッセージに含まれてよい。他の実施形態では、モバイルプロキシは、他の方法、例えば肯定応答の非送信（この発生は、送信エンティティによる否定応答として解釈される可能性がある）において、正常に受信された送信を否定応答してよい。
【０１０７】
モバイルプロキシ２０６は、バッファリング及びトラフィックシェーピングなどの様々なアクセスネットワーク制御動作を用いることができるので、mmWaveリンクのオンオフに起因する無線アクセスネットワーク容量の変動をトランスポート層で回避することができる。一部の実施形態では、アクセスネットワーク制御動作は、トランスポート無線エアインタフェースモジュール７３２によって実行されてよい。モバイルプロキシ２０６は、トランスポート無線エアインタフェースモジュール７３２を用いて、（トランスポート無線エアインタフェースモジュール７６０を介して）モバイルプロキシ２０６とＵＥ２１６との間の接続を管理することができる。モバイルプロキシ又はＭｅＮＢ２０８によって開発されたスケジュールに従って、この接続を介してＵｕインタフェース及びＸ２インタフェースを介して、データを転送することができる。
【０１０８】
図８は、一部の実施形態に係る、モバイルプロキシ２０６、ＭｅＮＢ２０８及びＵＥ２１６を介するトラフィック及びフィードバックフローの概略図である。特に、図８は、モバイルプロキシ２０６において通信ロジック８０６と結合されたスケジューリングロジック８０４と、ＭｅＮＢ２０８で通信ロジック８１０と結合されたスケジューリングロジック８０８とを示す。
【０１０９】
スケジューリングロジック及び通信ロジックは、本明細書に記載のスケジューリング及び通信動作を実行するために、制御回路のハードウェアに少なくとも部分的に実装されたロジックであってよい。一部の実施形態では、スケジューリングロジック８０４及び通信ロジック８０６は、少なくとも、ＴＣＰモジュール７２０及びトランスポート無線エアインタフェースモジュール７３２のコンポーネントを含んでよい。スケジューリングロジック８０８及び通信ロジック８１０は、少なくとも、トランスポート無線エアインタフェースモジュール７５２のコンポーネントを含んでよい。
【０１１０】
スケジューリング及び通信ロジックが無線通信回路４００に実装される実施形態では、スケジューリングロジックは、ベースバンドプロセッサ（例えば、４Ｇベースバンドプロセッサ４０４ｃや５Ｇベースバンドプロセッサ４０４ｄ）、メモリ／ストレージ４０４ｇ又はＣＰＵ４０４ｅにより、少なくとも部分的に実装されてよく、通信ロジックは、ベースバンドプロセッサ４０４、メモリ／ストレージ４０４ｇ又はＲＦ回路４０６により、少なくとも部分的に実装されてよい。スケジューリング及び通信ロジックがイーサネットコントローラ５００に実装される実施形態では、スケジューリングロジックは、ＱＭＳ回路５１６又はプロトコルＡ／Ｏ回路５２０によって少なくとも部分的に実装されてよく、通信ロジックは、ＱＭＳ回路５１６、プロトコルＡ／Ｏ回路５２０、トラフィック分類器５２４、メディアアクセスコントローラ５２８又はＰＨＹ５３２によって、少なくとも部分的に実装されてよい。他の実施形態では、スケジューリング及び通信ロジックは、プラットフォーム回路６０４のプロセッサ６１２又はメモリ／ストレージ６１６などの他のハードウェアに、少なくとも部分的に実装されてよい。
【０１１１】
スケジューリングロジック８０４，８０８は、２つのレベルのスケジューリングを提供することができる。様々な実施形態では、エアインタフェースを介したトラフィックのスケジューリングは、スケジューリングロジック８０４又はスケジューリングロジック８０８によって実行されてよい。通信ロジック８０６は、ネットワークから（例えばアプリケーションサーバ７０８から）着信トラフィック８１２を受信することができる。通信ロジック８０６は、トラフィック８１２が、１つ以上のそれぞれのＱｏＳクラスに関連付けられたトラフィックを含むと決定することができる。
【０１１２】
ＱｏＳクラスは、異なるアプリケーション、ユーザ又はデータフローに異なる優先度を提供する能力、又は、データフローに対してあるレベルの性能を保証する能力を可能にすることができる。これにより、ビットレート、遅延、ジッタ、パケットドロッピング確率、ビット誤り率などの特定の性能特性がＱｏＳクラスに保証されることが可能になる。
【０１１３】
通信ロジック８０６は、それぞれのＱｏＳクラスに基づいてトラフィック８１２を区別することができる。一部の実施形態では、通信ロジック８０６は、パケットヘッダ、送信元又は送信先のアドレスなどに基づいて、ＱｏＳクラスを決定することができる。
【０１１４】
一部の実施形態では、通信ロジック８０６は、特定のＱｏＳクラスのトラフィックをバッファ８１４の関連バッファに送ることができる。よって、各ＱｏＳクラスは、ｅＮＢへの送信に先立って、トラフィックをバッファリングするための対応するバッファを有することができる。
【０１１５】
バッファ８１４は、通信又はプラットフォーム回路のメモリ／ストレージに実装することができる。
【０１１６】
スケジューリングロジック８０４は、各ＱｏＳクラスのトラフィックに対してフィードバック８１６を提供することができる。フィードバック８１６は、ＴＣＰレート制御を用いてコアネットワークを介するトラフィックを調整するために用いられるトランスポート層データ転送管理送信であってよい。一部の実施形態では、フィードバック８１６は、追加／代替のトランスポート層データ転送管理を目的とするものであってよい。
【０１１７】
スケジューリングロジック８０４は、制御情報８２０をスケジューリングロジック８０８に送信してよい。制御情報８２０は、バッファ状態と、ＱｏＳクラスに関連するＱｏＳパラメータとを含んでよい。
【０１１８】
図８は、スケジューリングロジック８０４，８０８との間で直接流れるメッセージを示すが、接続は、通信ロジック８０６，８１０を流れることのできる論理接続であってよいことが理解されよう。よって、スケジューリングロジックは、通信ロジックを介して他のネットワークコンポーネントに対してメッセージを送受信してよい。
【０１１９】
スケジューリングがモバイルプロキシ２０６で実行される実施形態では、制御情報８２０は、スケジューリングロジック８０４のスケジューリング決定の通知を含んでよい。
【０１２０】
スケジューリングロジック８０８は、ＭｅＮＢ２０８及びＳｅＮＢ２１２によって提供されるリンクの容量に関する情報を提供するＵＥ２１６又はＳｅＮＢ２１２から、フィードバックを受信してよい。ＳｅＮＢ２１２によって提供される第２のリンクの容量に関するフィードバック８２４は、ＵＥ２１６又はＳｅＮＢ２１２から受信されてよい。
【０１２１】
スケジューリングロジック８０８は、フィードバック８２４において提供される情報に基づいてリンク容量を決定してよい。一部の実施形態では、リンク容量は、ＩＰパケットが第１及び第２のリンクを介してＵＥ２１６に正常に配信される速度に関する統計情報を含んでよい。一部の実施形態では、この統計情報は、所与のチャネル状態について所与のレートでＵＥ２１６に配信されるＩＰパケットの肯定応答及び否定応答をトラッキングすることに基づいてよい。リンク容量は、第１及び第２のリンクの現在のチャネル状態及び動作特性（例えば、第２のリンクの平均ドロップアウト周波数、平均接続再確立時間など）に基づく予測情報を含んでもよい。
【０１２２】
スケジューリングロジック８０８は、フィードバック８２８において、リンク容量レポート（配信レート統計を含んでよい）をスケジューリングロジック８０４に送信してよい。リンク容量は、スケジューリングロジック８０４により、スケジュールを決定するために（モバイルプロキシ２０６がこの決定を行う実施形態において）、又はＴＣＰレート制御動作のために用いられてよい。
【０１２３】
スケジューリングがＭｅＮＢ２０８で実行される実施形態では、スケジューリングロジック８０８は、フィードバック８２８において、スケジューリングロジック８０８のスケジューリング決定の通知を送信してよい。
【０１２４】
様々な実施形態において、スケジューリングロジック８０４又は８０８によって実行されるスケジューリング決定は、トラフィックが、ＭｅＮＢ２０８によって提供される第１のリンクを介して、又はＳｅＮＢ２１２によって提供される第２のリンクを介して、ＵＥ２１６に向けられるか否かを決定してよい。一般に、この決定は、トラフィックのＱｏＳクラス及び無線リンクの容量に基づいて行うことができる。
【０１２５】
一部の実施形態では、スケジューリングロジック８０４又は８０８は、ＵＥ２１６のモビリティに基づいて、第１及び第２のリンクの容量を予測してよい。
【０１２６】
一部の実施形態では、スケジューリングロジック８０４又は８０８は、ＵＥ２１６に近接していると考えられる１つ以上の他のＵＥに関連付けられたリンクの容量に基づいて、第１及び第２のリンクの容量を予測してよい。例えば、第２のＵＥがＵＥ２１６に近接していると考えられる場合、スケジューリングロジック８０４又は８０８は、ＵＥのリンクが強く相関していると決定してよく、第２のＵＥの所定のリンク容量に基づいてＵＥ２１６のリンク容量を示してよい。
【０１２７】
様々な実施形態において、ＳｅＮＢ２１２によって提供されるリンクは、アイドル状態又はアクティブ状態を利用してよい。リンクが長時間にわたってアイドル状態にある場合、スケジューリングロジックによって用いられるリンク容量測定値が古くなるおそれがある。したがって、図９は、更新されたリンク容量測定値をスケジューリングロジックに提供するために用いられ得るレポート手順９００の実施形態を示す。レポート手順９００に記載される動作は、それぞれのデバイスに実装された制御回路、例えば制御回路３０８によって実行されてよい。
【０１２８】
９０４において、レポート手順９００は、ＵＥ２１６の制御回路が所定のレポートイベントを検出することを含んでよい。一部の実施形態では、所定のレポートイベントは、定期レポートを容易にするように設定されたタイマの満了であってよい。レポート期間は、ＵＥ２１６の電力消費とチャネル状態の正確さとのバランスを考慮して選択されてよい。
【０１２９】
一部の実施形態では、所定のレポートイベントは、例えば、ＭｅＮＢ２０８からのレポート命令の受信であってよい。レポート命令は、ＵＥ２１６がアクティブ状態にあるとき、又はmmWave接続が定期的にアクティブにされているときに、アンカー接続を介してＵＥ２１６によって受信されてよい。
【０１３０】
一部の実施形態では、所定のレポートイベントは、mmWaveリンクの状態における変化（又は予想される変化）に関連する可能性がある環境条件の検出であってよく、或いはそれに基づいてよい。特定の環境条件の存在又は検出は、ＵＥ２１６がmmWaveリンクの状態をレポートする必要があること、或いはおそらく、レポートの頻度を増減する必要があることを意味してよい。一部の環境条件は、ＵＥの移動性、別の無線通信リンクにおける品質の変化、ＵＥの位置（例えば、ＵＥが物理的に混雑した環境に位置し、例えば、高層ビルに囲まれ、見通し内mmWaveリンクを破壊する可能性がある場合）、又は降水量／気圧レベルの増加又は変化を含んでよい。このような環境条件は、ＵＥ２１６上のセンサ又はアプリケーションによって検出されてよい。
【０１３１】
９０８において、レポート手順９００は更に、mmWaveインタフェースを起動し、測定を実行することを含んでよい。mmWaveインタフェースが起動される実施形態では、９０８での動作は、mmWaveインタフェースをアクティブに保つことであってよい。
【０１３２】
９０８で実行される測定は、ＳｅＮＢによって送信される信号、例えば参照信号を測定することを含んでよい。測定の基礎として用いられる信号は、例えば、セル固有参照信号（ＣＲＳ）やチャネル状態情報（ＣＳＩ）参照信号などの参照信号を含んでよい。ＣＲＳは、全てのダウンリンクサブフレームと物理ダウンリンク共有チャネル（ＰＤＳＣＨ）送信をサポートするセルにおいて、時間と周波数の両方に挿入されるパイロットシンボルであってよい。このようなパイロットシンボルは、サブフレーム内の所与の位置におけるチャネルの推定値を提供することができる。ＵＥ２１６は、測定の結果を補間して、任意の数のサブフレームにわたってチャネルを推定してよい。
【０１３３】
ＵＥ２１６は、例えば、参照信号受信電力（ＲＳＲＰ）や参照信号受信品質（ＲＳＲＱ）などの、受信信号のパラメータを測定してよい。ＲＳＲＰは、考慮される測定周波数帯域内でセル固有参照信号を搬送するためのリソース要素の電力寄与に対する線形平均として定義することができる。ＲＳＲＱは、ＲＳＲＰ及び受信信号強度インジケータ（ＲＳＳＩ）に基づくことができ、Ｎ個のリソースブロックにわたる測定帯域幅内のアンテナポート０についての参照信号を含むＯＦＤＭシンボルにおいてのみ観測される平均全受信電力を測定する。ＲＳＲＰは、ＮｘＲＳＲＰ／ＫＳＳＩの比として定義することができる。
【０１３４】
ＵＥ２１６は、９０８において実行された測定の結果を含むレポート９１２を送信してよい。
【０１３５】
９１６において、ＵＥ２１６は、そのmmWaveインタフェースをアイドル状態にしてよい。
【０１３６】
レポート９１２を受信すると、ＭｅＢ２０８は、９２０において、ＳｅＮＢによって提供されるリンクのリンク容量を推定してよい。一部の実施形態では、９２０でのリンク容量の推定は更に、ＭｅＮＢ２０８が低周波数帯域で提供するプライマリリンクのリンク容量を推定してよい。プライマリリンク容量の推定値は、プライマリリンクを介してＭｅＮＢ２０８に定期的に送信される測定レポートに基づいてよい。
【０１３７】
レポート手順９００は更に、９２４において、ＭｅＮＢ２０８により所定のレポートイベントを検出することを含んでよい。所定のレポートイベント９２４は、９０４に関して上述したように、周期的であってもイベント駆動であってもよい。
【０１３８】
所定のレポートイベントを検出すると（９２４）、ＭｅＮＢ２０８は、レポート９２８をモバイルプロキシ２０６に送信してよい。
【０１３９】
図９には、レポート９２８（リンク容量レポートメッセージとも呼ばれる）が概略的に示されている。レポート９２８は、無線リンク（例えばリンク２２０又は２２４）のリンク容量状態をユーザ機器（ＵＥ）に通信するためのデータレートフィールド９３６を含んでよい。リンク容量状態は、ＩＰパケットがそれぞれのリンクを介してＵＥに正常に配信されるレートに関する統計情報を含んでよい。
【０１４０】
レポート９２８は更に、ＵＥの識別子を通信するためのＵＥ識別子フィールド９３２を含んでよい。識別子は、ＵＥに割り当てられたＩＰアドレス、或いはＵＥの別の種類のネットワーク識別子であってよい。様々な実施形態において、レポート９２８は、リンク（例えばリンク２２０又は２２４）のドロップアウト周波数に関する情報を通信するためのドロップアウト指示フィールド９４０を含んでよい。ドロップアウト指示フィールド９４０は、リンクの平均ドロップアウト周波数に関する情報を通信するためのものであってよい。
【０１４１】
一部の実施形態では、レポート９２８は更に、リンク（例えばリンク２２０又は２２４）の接続再確立時間に関する情報を通信するための接続再確立時間指示フィールド９４４を含んでよい。接続再確立時間指示フィールド９４４は、第１のリンクの平均接続再確立時間についての情報を通信するためのものであってよい。
【０１４２】
一部の実施形態では、レポート９２８は更に、別の無線リンクのリンク容量状態を通信するための第２のデータレートフィールド９４８を含んでよい。例えば、データレートフィールド９３６がリンク２２０のリンク容量状態を通信する場合、第２のデータレートフィールド９４８は、リンク２２４のリンク容量状態を通信してよい。
【０１４３】
一部の実施形態では、レポート９２８は、非アクセス層メッセージであってよい。
【０１４４】
図１０は、一部の実施形態に係る便宜的アクセス動作１０００を示す。便宜的アクセス動作１０００は、ＭｅＮＢ２０８において実行されるスケジューリングを伴う、ダウンリンクトリガされたmmWaveリンクアクチベーション及びアクセスプロセスであってよい。様々な実施形態において、図１０の動作は、図１０に記載されたそれぞれのデバイスの通信又はプラットフォーム回路のコンポーネントによって実行、発生又は制御されてよい。
【０１４５】
便宜的アクセス動作１０００（以下「動作１０００」）は、モバイルプロキシ２０６が、コアネットワークを介して送信エンティティからＵＥトラフィックを受信することから始まってよい。例えば、モバイルプロキシ２０６は、アプリケーションサーバ７０８からＵＥトラフィックを受信してよい。モバイルプロキシ２０６は、１００４において、例えばバッファ８１４、メモリ／ストレージ４０４ｇ、ＱＭＳ回路５１６などのメモリ回路にＵＥトラフィックをバッファリングしてよい。
【０１４６】
モバイルプロキシ２０６は、１００４において、送信エンティティへのトランスポート層データ転送管理メッセージの送信を発生させてよい。トランスポート層データ転送管理メッセージは、例えば、順序付けられたデータ転送、損失パケットの再送信、エラーのないデータ転送、フロー／輻輳制御のような、上述の任意のＴＣＰ動作のためのものであってよい。一部の実施形態では、トランスポート層データ転送管理メッセージは、ＴＣＰ  ＡＣＫ／ＮＡＣＫメッセージを含んでよい。本明細書の目的上、トランスポート層データ転送管理メッセージの送信は、ＴＣＰレート制御のために用いられている他のトランスポート層データ転送管理メッセージと共に、ＩＰパケットの受信の成功又は不成功に関連する目的のためであってよい。しかしながら、一部の実施形態では、１００４における送信は、ＴＣＰレート制御に用いられてもよい。
【０１４７】
モバイルプロキシ２０６は、１００８において、ＵＥトラフィックの通知をＭｅＮＢ２０８に送信してよい。通知は、トラフィックのタイプ、サイズ又はＱｏＳ要件の通知を含んでよい。
【０１４８】
動作１０００は、１０１２において、ＭｅＮＢ２０８がトラフィックをスケジューリングすることを含んでよい。特に、ＭｅＮＢ２０８は、ＭｅＮＢ２０８により低周波数帯域で提供される第１のリンク、又はＳｅＮＢ２１２により高周波数帯域で提供される第２のリンクを介して、トラフィックをスケジュールしてよい。一部の実施形態では、ＭｅＮＢ２０８は、第１のリンク上のトラフィックの第１の部分と、第２のリンク上のトラフィックの第２の部分とをスケジュールしてよい。
【０１４９】
ＭｅＮＢ２０８は、リンク容量の推定値に基づいて、第１及び第２のリンクを介してトラフィックをスケジュールしてよい。リンク容量の推定は、図９に関して上述したものと同様に実行されてよい。ＭｅＮＢ２０８は更に、トラフィックのタイプ、サイズ又はＱｏＳ要件に基づいて、第１及び第２のリンクを介してトラフィックをスケジュールしてよい。
【０１５０】
１０１２でスケジュールを作成した後、ＭｅＮＢ２０８は、１０１６において、スケジューリング決定の通知をモバイルプロキシ２０６に送信してよい。
【０１５１】
スケジューリング決定が、ＳｅＮＢ２１２によって提供される第２のリンクを介してトラフィックの少なくとも一部が送信されることを含む場合、ＭｅＮＢ２０８は、１０２０において、ＭＭＷａｖｅエアインタフェースをウェイクアップする命令をＵＥ２１６に送信してよい。mmWaveインタフェースをウェイクアップする命令は、ＭｅＮＢ２０８によって提供される第１のリンクを介して送信されてよい。ＵＥ２１６は、そのmmWaveエアインタフェースをウェイクアップし、１０２８でmmWaveのＳｅＮＢ２１２との同期を開始してよい。
【０１５２】
スケジューリング決定が、ＳｅＮＢ２１２によって提供される第２のリンクを介してトラフィックの少なくとも一部が送信されることを含む場合、モバイルプロキシ２０６は、１０２４において、ＵＥトラフィックの第１の部分をＳｅＮＢ２１２にダウンロードしてよい。
【０１５３】
スケジューリング決定が、ＭｅＮＢ２０８によって提供される第１のリンクを介してトラフィックの少なくとも一部が送信されることを含む場合、モバイルプロキシ２０６は、１０３２において、ＵＥトラフィックの一部をＭｅＮＢ２０８にダウンロードしてよい。
【０１５４】
動作１０００は、１０３６において、エアインタフェースを介したデータ送信を含んでよい。
【０１５５】
データ送信は、ＭｅＮＢ２０８によって行われるスケジューリング決定と一致する第１又は第２のリンクを介して行われてよい。動作１０００は更に、１０４０において、ＵＥ２１６が第２のリンクのリンク容量に更新を提供することを含んでよい。ＭｅＮＢ２０８は、１０４４において、第１と第２のリンクの両方の更新されたリンク容量をモバイルプロキシ２１６に提供してよい。
【０１５６】
更新されたＵＥリンク容量を受信すると、モバイルプロキシ２０６は、１０４８において、ＴＣＰレート制御動作を実行してよい。
【０１５７】
図１１は、一部の実施形態に係るＴＣＰレート制御動作１１００を示すフローチャートである。
【０１５８】
レート制御動作１１００（以下「動作１１００」）は、例えば、スケジューリングロジック８０４、通信ロジック８０６及びＴＣＰモジュール７２０を含む、モバイルプロキシ２０６のコンポーネントによって実行されてよい。
【０１５９】
１１０４において、動作１１００は、ＭｅＮＢ２０８からＵＥリンク容量を受信することを含んでよい。ＵＥリンク容量は、制御プレーンを介してＭｅＮＢ２０８からモバイルプロキシ２０６に送信されるフィードバックで受信されてよい。ＵＥリンク容量は、ＭｅＮＢ２０８及びＳｅＮＢ２１２によってＵＥ２１６に提供されるリンクのリンク容量に関連する測定値又は他のパラメータ（例えば配信レート統計値）を含んでよい。
【０１６０】
１１０８において、動作１１００は、トランスポートネットワークデータレート及びＲＡＮデータレートを決定することを含んでよい。
【０１６１】
トランスポートネットワークデータレートは、ＴＣＰトラフィックがＴＣＰモジュール７４０からＴＣＰモジュール７２０に配信されるレートに対応してよい。トランスポートネットワークデータレートは、モバイルプロキシ２０６が、ＩＰパケットがモバイルプロキシ２０６に到達するレートを追跡することによって決定されてよい。
【０１６２】
ＲＡＮデータレートは、ＵＥトラフィックが（ＭｅＮＢ２０８及びＳｅＮＢ２１２の）トランスポート無線エアインタフェースモジュール７５２からトランスポート無線エアインタフェースモジュール７６０に配信されるレートに対応してよい。ＲＡＮデータレートは、ＭｅＮＢ２０８からのフィードバックで提供されるＵＥリンク容量レポートに基づいて決定されてよい。
【０１６３】
動作１１００は、１１１２において、トランスポートネットワークデータレートがＲＡＮデータレートよりも大きいか否かを決定することを含んでよい。
【０１６４】
１１１２において、トランスポートネットワークデータレートがＲＡＮデータレートよりも大きくないと決定された場合、動作１１００は、１１０４にループバックして、それぞれのデータレートの監視を継続してよい。
【０１６５】
１１１２において、トランスポートネットワークデータレートがＲＡＮデータレートよりも大きいと決定された場合、動作１１００は、１１１６において、モバイルプロキシがトランスポートネットワークデータレートを低減することを含んでよい。一部の実施形態では、モバイルプロキシ２０６は、ＴＣＰレート制御手順を用いて、トランスポートネットワークデータレートを低減してよい。様々な実施形態において、ＴＣＰレート制御手順は、フロー制御又は輻輳制御に関連する手順を含んでよい。
【０１６６】
フロー制御は、通常、ＴＣＰ受信側が確実にデータを受信し処理するよりも速く送信側がデータを送信することを避けるために用いられてよい。本実施形態では、モバイルプロキシ２０６は、スライディングウィンドウを用いてＴＣＰフロー制御を実施してよい。アプリケーションサーバ７０８からトラフィックを受信すると、モバイルプロキシ２０６は、接続のためにバッファリングすることを望む追加データの量を決定してよい。次に、モバイルプロキシ２０６は、受信ウィンドウフィールドにおいて、決定された量の指示をアプリケーションサーバ７０８に送信してよい。アプリケーションサーバ７０８は、モバイルプロキシ２０６から肯定応答及び受信ウィンドウ更新を受信する前に、その量のデータを送信することのみが許可されてよい。モバイルプロキシ２０６がアプリケーションサーバ７０８のデータ送信を停止したい場合、モバイルプロキシ２０６は、受信ウィンドウフィールドにおいてゼロ値を送信してよい。
【０１６７】
モバイルプロキシ２０６は、追加／代替として、輻輳制御手順を用いて、トランスポートネットワークに入るデータのレートを制御してよい。一部の実施形態では、モバイルプロキシ２０６は、否定応答（又は肯定応答の欠如）をアプリケーションサーバ７０８に送信してよい。アプリケーションサーバ７０８は、このような否定応答（又は肯定応答の欠如）を受信し、トランスポートネットワークのデータレートが高すぎると推定することができる。その結果、アプリケーションサーバ７０８は、パケットがモバイルプロキシ２０６に送信されるレートを低減することができる。
【０１６８】
様々な実施形態において、モバイルプロキシ２０６は、複数のＴＣＰ輻輳回避アルゴリズムのいずれかを用いて、輻輳制御を提供してよい。このようなＴＣＰ輻輳回避アルゴリズムは、TCP  TahoeとReno、TCP  Vegas、TCP  New  Reno、TCP  Hybla、TCP  BIC、TCP  CUBIC、Agile-SD  TCP、TCP  Westwood+、又はCompound  TCPを含んでよい。
【０１６９】
図１２は、一部の実施形態に係る便宜的アクセス動作１２００を示す。便宜的アクセス動作１２００は、モバイルプロキシ２０６において実行されるスケジューリングを伴う、ダウンリンクトリガされたmmWaveリンクアクチベーション及びアクセスプロセスであってよい。別段の記載がない限り、図１２の動作は、図１２に記載されたそれぞれのデバイスの通信又はプラットフォーム回路のコンポーネントによって実行、発生又は制御されてよい。
【０１７０】
便宜的アクセス動作１２００（以降「動作１２００」）は、モバイルプロキシ２０６がコアネットワークを介して送信エンティティからデータを受信することから開始してよい。例えば、モバイルプロキシ２０６は、アプリケーションサーバ７０８からトラフィックを受信してよい。
【０１７１】
モバイルプロキシ２０６は、１２０４において、メモリ回路内にＵＥトラフィックをバッファリングし、図１０の動作１００４に関して上述したプロセスと同様に、トランスポート層データ転送管理メッセージを送信エンティティに送信してよい。
【０１７２】
動作１２００は、１２０８において、モバイルプロキシ２０６が、ＭｅＮＢ２０８によって提供される第１のリンク又はＳｅＮＢ２１２によって提供される第２のリンクを介して、ＵＥトラフィックをスケジューリングすることを含んでよい。ＭｅＮＢ２０８ではなくモバイルプロキシ２０６においてスケジューリングを実行することを除いて、１２０８におけるＵＥトラフィックのスケジューリングは、１０１２において、ＵＥトラフィックのスケジューリングと同様であってよい。
【０１７３】
１２０８でスケジュールを作成した後、モバイルプロキシ２０６は、１２１２において、スケジューリング決定の通知をＭｅＮＢ２０８に送信してよい。
【０１７４】
スケジューリング決定が、ＳｅＮＢ２１２によって提供される第２のリンクを介してトラフィックの少なくとも一部が送信されることを含む場合、ＭｅＮＢ２０８は、１２１６において、mmWaveエアインタフェースをウェイクアップする命令をＵＥ２１６に送信してよい。mmWaveインタフェースをウェイクアップする命令は、ＭｅＮＢ２０８によって提供される第１のリンクを介して送信されてよい。
【０１７５】
ＵＥ２１６は、そのmmWaveエアインタフェースをウェイクアップし、１２２８において、mmWave  ＳｅＮＢ２１２との同期を開始してよい。
【０１７６】
スケジューリング決定が、ＳｅＮＢ２１２によって提供される第２のリンクを介してトラフィックの少なくとも一部が送信されることを含む場合、モバイルプロキシ２０６は、１２２０において、ＵＥトラフィックの一部をＳｅＮＢ２１２にダウンロードしてよい。
【０１７７】
スケジューリング決定が、ＭｅＮＢ２０８によって提供される第１のリンクを介してトラフィックの少なくとも一部が送信されることを含む場合、モバイルプロキシ２０６は、１２２４において、ＵＥトラフィックの一部をＭｅＮＢ２０８にダウンロードしてよい。
【０１７８】
動作１２００は、１２３２において、エアインタフェースを介したデータ伝送を含んでよい。データ送信は、モバイルプロキシ２０６によって行われたスケジューリング決定と一致する第１又は第２のリンクを介して行われてよい。
【０１７９】
動作１２００は更に、１２３６において、ＵＥ２１６が、ＳｅＮＢ２１２によって提供される第２のリンクのリンク容量の更新を送信することを含んでよい。ＭｅＮＢ２０８は、１２４０において、第１と第２のリンクの両方の更新されたリンク容量をモバイルプロキシ２１６に提供してよい。
【０１８０】
更新されたＵＥリンク容量を受信すると、モバイルプロキシ２０６は、１２４４において、ＴＣＰレート制御動作を実行してよい。ＴＣＰレート制御動作の性能は、上述したものと同様であってよい。
【０１８１】
図１３は、一部の実施形態に係る便宜的アクセス動作１３００を示す。便宜的アクセス動作１３００は、ＳｅＢ２１２とモバイルプロキシ２０６との間の直接接続を伴う、アップリンクトリガされたmmWaveアクチベーション及びアクセス手順であってよい。別段の記載がない限り、図１３の動作は、図１３で説明される各デバイスの制御回路のコンポーネントによって実行、発生又は制御されてよい。
【０１８２】
便宜的アクセス動作１３００（以後「動作１３００」）は、１３０４においてＵＥ２１６がアップリンクトラフィックレポートをＭｅＮＢ２０８に送信することから開始してよい。アップリンクトラフィックレポートは、ＵＥ２１６がアップリンクトラフィックを送信する必要性の指示を提供することができる。アップリンクトラフィックは、コアネットワーク上の別のデバイス、例えばアプリケーションサーバ７０８に宛てられてよい。アップリンクトラフィックレポートは、アップロードされるトラフィックのタイプ、サイズ又はＱｏＳ要件の指示を含んでよい。
【０１８３】
動作１３００は、１３０８において、ＭｅＮＢ２０８がトラフィックをスケジューリングすることを含んでよい。ＭｅＮＢ２０８は、ＭｅＮＢ２０８によって提供される第１のリンク又はＳｅＮＢ２１２によって提供される第２のリンクを介して、トラフィックをスケジュールしてよい。ＭｅＮＢ２０８は、リンク容量の推定値に基づいて、第１及び第２のリンクを介してトラフィックをスケジュールしてよい。リンク容量の推定は、図９に関して上述したものと同様に実行されてよい。ＭｅＮＢ２０８は更に、トラフィックのタイプ、サイズ又はＱｏＳ要件に基づいて、第１及び第２のリンク上でアップリンクトラフィックをスケジュールしてよい。
【０１８４】
動作１３００は、１３１２において、ＭｅＮＢ２０８がスケジューリング決定の通知をＵＥ２１６に送信することを含んでよい。
【０１８５】
アップリンクトラフィックの少なくとも一部が第２のリンクを介して送信される場合、ＵＥ２１６は、そのmmWaveインタフェースをアクティブにし、１３１６において、ＳｅＮＢ２１２との同期及びアクセスを開始してよい。
【０１８６】
動作１３００は更に、１３２０において、ＵＥ２１６がアップリンクデータ送信を送信することを含んでよい。アップリンクデータは、ＭｅＮＢ２０８のスケジューリング決定と一致する第１及び第２のリンクを介して送信されてよい。
【０１８７】
アップリンクトラフィックの少なくとも一部が第２のリンクを介して送信される場合、動作１３００は、１３２４において、ＳｅＮＢ２１２がＵＥトラフィックの少なくとも一部をモバイルプロキシ２０６にアップロードすることを含んでよい。
【０１８８】
アップリンクトラフィックの少なくとも一部が第１のリンクを介して送信される場合、動作１３００は、１３２８において、ＭｅＮＢ２０８がＵＥトラフィックの少なくとも一部をモバイルプロキシ２０６にアップロードすることを含んでよい。動作１３００は更に、１３３２において、モバイルプロキシ２０６がアップリンクトラフィックをバッファリングし、コアネットワークにおける送信をスケジューリングすることを含んでよい。
【０１８９】
上述のように、モバイルプロキシ２０６は、トランスポート層を終了させるためにＴＣＰエンドポイントとして機能するＴＣＰモジュール７２０を含んでよい。したがって、コアネットワークにおける送信をスケジューリングする際に、ＴＣＰモジュール７２０は、コアネットワークを介してＴＣＰ接続を管理する必要があり得る。図１４は、アップリンクトラフィックをコアネットワークを介して、例えばアプリケーションサーバ７０８のような宛先に送信するためのＴＣＰ接続を管理するための、ＴＣＰ管理動作１４００のフローチャートを示す。ＴＣＰ管理動作１４００は、ＴＣＰモジュール７２０によって実行されてよい。
【０１９０】
ＴＣＰ管理動作１４００は、ＴＣＰモジュール７２０がアップリンクトラフィックを受信することにより、１４０４において開始してよい。アップリンクトラフィックは、ＭｅＢ２０８又はＳｅＢ２１２から受信されてよい。
【０１９１】
ＴＣＰ管理動作１４００は、１４０８において、ＴＣＰモジュール７２０がＴＣＰ接続を確立することを含んでよい。ＴＣＰ接続は、例えばＴＣＰモジュール７４０のようなＴＣＰ接続の他のエンドポイントと確立されてよい。
【０１９２】
ＴＣＰ接続を確立することは、複数ステップのハンドシェイクプロセスを含んでよい。一部の実施形態では、ハンドシェイクプロセスは、３ウェイハンドシェイクと呼ばれることがある。３ウェイハンドシェイクは、ＴＣＰモジュール７２０が、ＴＣＰモジュール７４０に同期要求（ＳＹＮ）を送信することにより、アクティブオープンを実行することを含んでよい。ＴＣＰモジュール７２０は、同期要求に含まれるシーケンス番号をランダム値Ａに設定してよい。同期要求を受信すると、ＴＣＰモジュール７４０は、同期肯定応答（SYN-ACK）メッセージで応答してよい。同期確認メッセージは、同期要求のシーケンス番号よりも１大きく設定された肯定応答番号（例えばＡ＋１）を含んでよく、ＴＣＰモジュール７４０は、同期肯定応答メッセージに含まれるシーケンス番号について、別の乱数Ｂを選択してよい。同期確認メッセージを受信すると、ＴＣＰモジュール７２０は、ＴＣＰモジュール７４０に肯定応答（ＡＣＫ）を返してよい。肯定応答は、肯定応答番号（例えばＡ＋１）に設定されたシーケンス番号を含んでよく、同期肯定応答メッセージのシーケンス番号よりも１大きく設定されたＡＣＫ番号（例えばＢ＋１）を含んでよい。３ウェイハンドシェイクに続いて、ＴＣＰモジュール７２０とＴＣＰモジュール７４０の両方が接続の肯定応答を受信し、全二重通信が確立されてよい。
【０１９３】
動作１４００は更に、１４１２において、ＴＣＰモジュール７２０が、確立された接続を介してデータを転送することを含んでよい。上述のように、データ転送は、順序付けられたデータ転送、損失パケットの再送信、エラーのないデータ転送、フロー制御、輻輳制御などのＴＣＰ機能を用いて、実行されてよい。
【０１９４】
動作１４００は更に、１４１６において、ＴＣＰモジュール７２０がＴＣＰ接続を終了することを含んでよい。一部の実施形態では、ＴＣＰ接続は、４ウェイハンドシェイクを用いて終了されてよい。
【０１９５】
ＴＣＰモジュール７２０が接続の半分を停止させたい場合、ＴＣＰモジュール７２０は、完了（ＦＩＮ）メッセージをＴＣＰモジュール７４０に送信してよい。ＴＣＰモジュール７４０は、肯定応答（ＡＣＫ）メッセージでＦＩＮメッセージを肯定応答してよく、別のＦＩＮメッセージを送信してよい。ＴＣＰモジュール７２０は、ＴＣＰモジュール７４０からＡＣＫメッセージ及びＦＩＮメッセージを受信すると、最終的なＡＣＫメッセージを送信し、所定時間待機し、ＴＣＰ接続を終了してよい。このように、ＴＣＰ接続は、両方のＴＣＰエンドポイントによって確実に閉じることができる。
【０１９６】
図１５は、一部の実施形態に係る便宜的アクセス動作１５００を示す。便宜的アクセス動作１５００は、ＳｅＮＢ２１２とモバイルプロキシ２０６との間の間接的な接続を伴う、アップリンクトリガされたmmWaveアクチベーション及びアクセス手順であってよい。別段の記載がない限り、図１５の動作は、図１５に記載されるそれぞれのデバイスのプラットフォーム又は通信回路のコンポーネントによって、実行、発生又は制御されてよい。
【０１９７】
便宜的アクセス動作１５００（以後「動作１５００」と呼ぶ）は、図１３に関して開示され論議された類似の名称の手順と同様の手順を含んでよい。特に、ＵＥは、１５０４において、アップリンクトラフィックレポートをＭｅＮＢ２０８に送信してよい。ＭｅＮＢ２０８は１５０８においてトラフィックをスケジュールし、１５１２においてスケジューリング決定の通知をＵＥ２１６に送信してよい。ＵＥ２１６は、そのmmWaveインタフェースを起動し、１５１６においてＳｅＮＢ２１２と同期し、１５２０において第１又は第２のリンクを介してデータ送信をアップロードしてよい。
【０１９８】
動作１３００とは異なり、動作１５００では、ＳｅＮＢ２１２は、アップリンクデータをモバイルプロキシ２０６に直接送信することができない場合がある。したがって、動作１５００は、１５２４において、ＳｅＮＢ２１２が、ＵＥトラフィックの少なくとも一部をＭｅＮＢ２０８にアップロードすることを含んでよい。そして、１５２８において、ＭｅＮＢ２０８は、ＵＥトラフィックの全てをモバイルプロキシ２０６にアップロードしてよい。動作１５００は更に、１５３２において、モバイルプロキシ２０６が、アップリンクトラフィックをバッファリングし、コアネットワークにおける送信をスケジューリングすることを含んでよい。これは、１３３２に関して上述した動作と同様に実行されてよい。
【０１９９】
図１６は、装置による命令の実行に応答して、装置に本開示の選択された態様を実施させる命令を記憶するための使用に適した、例示的なコンピュータ可読記憶媒体１６０４を示す。一部の実施形態では、コンピュータ可読記憶媒体１６０４は非一時的であってよい。図示されるように、コンピュータ可読記憶媒体１６０４は、プログラミング命令１６０８を含んでよい。プログラミング命令１６０８は、デバイス（例えばＣＮデバイス２０４、ＭｅＮＢ２０８、ＳｅＮＢ２１２、ＵＥ２１６、或いは同様のコンピューティングデバイス）を、プログラミング命令１６０８の実行に応答して、mmWaveリンクの便宜的アクセスに関連して本開示を通じて説明された方法又は要素のいずれかを実現することを可能にするように構成されてよい。一部の実施形態では、プログラミング命令１６０８は、プログラミング命令１６０８の実行に応答して、制御回路又は対応するモジュールによって実行されるトラフィックレポート、スケジューリング、バッファリング、レート制御、リンク測定／レポートなどに関して本開示全体にわたって説明された方法又は要素のいずれか（の態様）を実現することを可能にするように構成されてよい。一部の実施形態では、プログラミング命令１６０８は、本質的に信号などの一時的なコンピュータ可読記憶媒体１６０４上に設けられてよい。
【０２００】
１つ以上のコンピュータ使用可能又はコンピュータ可読の記憶媒体の任意の組合わせが利用されてよい。コンピュータ使用可能又はコンピュータ可読の記憶媒体は、例えば、電子、磁気、光学、電磁気、赤外線、或いは半導体のシステム、装置、デバイス又は伝播媒体であってよいが、これらに限定されない。コンピュータ可読記憶媒体のより具体的な例（非限定的なリスト）は、１つ以上のワイヤを有する電気的接続、ポータブルコンピュータディスケット、ハードディスク、ランダムアクセスメモリ（ＲＡＭ）、読出専用メモリ（ＲＯＭ）、消去可能プログラム可能読出専用メモリ（ＥＰＲＯＭ或いはフラッシュメモリ）、光ファイバ、携帯型コンパクトディスク読出専用メモリ（ＣＤ−ＲＯＭ）、光記憶装置、インターネット又はイントラネットをサポートするもののような伝送媒体、磁気記憶装置を含み得る。なお、プログラムは、例えば、紙その他の媒体の光学走査を介して電子的に取り込まれ、その後、必要に応じてコンパイル、解釈その他の適切な方法で処理され、次いでコンピュータメモリに記憶することができるので、コンピュータ使用可能又はコンピュータ可読の記憶媒体は、プログラムが印刷される紙その他の適切な媒体であってよい。この文書の文脈において、コンピュータ使用可能又はコンピュータ可読の記憶媒体は、命令実行システム、装置又はデバイスによって使用されるか、命令実行システム、装置又はデバイスと接続されるプログラムを含み、記憶し、通信し、伝播し、或いはトランスポートすることのできる任意の媒体であってよい。コンピュータ使用可能記憶媒体は、ベースバンドにおいて、又は搬送波の一部として、コンピュータ使用可能プログラムコードを具現化した伝搬データ信号を含んでよい。コンピュータ使用可能プログラムコードは、限定ではないが無線、有線、光ファイバケーブル、ＲＦなどを含む任意の適切な媒体を用いて、送信されてよい。
【０２０１】
本開示の動作を実行するためのコンピュータプログラムコードは、Java（登録商標）、Smalltalk、Ｃ＋＋などのオブジェクト指向プログラミング言語や、「Ｃ」プログラミング言語や同様のプログラミング言語などの従来の手続き型プログラミング言語を含む、１つ以上のプログラミング言語の任意の組合わせで記述されてよい。プログラムコードは、完全にユーザのコンピュータ上で、或いは部分的にユーザのコンピュータ上で、或いはスタンドアロンのソフトウェアパッケージとして、或いは一部はユーザのコンピュータ上で、且つ一部はリモートコンピュータ上で、或いは完全にリモートコンピュータ又はサーバー上で、実行されてよい。後者のシナリオでは、リモートコンピュータは、ローカルエリアネットワーク（ＬＡＮ）やワイドエリアネットワーク（ＷＡＮ）を含む任意のタイプのネットワークを介して、ユーザのコンピュータに接続されてよく、或いは、外部コンピュータに接続されてよい（例えば、インターネットサービスプロバイダを用いてインターネットを介して）。
【０２０２】
本開示は、本開示の実施形態に係る方法、装置（システム）及びコンピュータプログラム製品のフローチャート図又はブロック図を参照して説明される。フローチャート図又はブロック図の各ブロックと、フローチャート図又はブロック図のブロックの組合わせは、コンピュータプログラム命令によって実現できることが理解されよう。このようなコンピュータプログラム命令は、マシンを製造するために、汎用コンピュータ、特殊目的コンピュータその他のプログラム可能データ処理装置のプロセッサに提供されてよく、それにより、コンピュータその他のプログラム可能データ処理装置のプロセッサを介して実行される命令が、フローチャート又はブロック図のブロックで指定された機能／動作を実現するための手段を作成する。
【０２０３】
このようなコンピュータプログラム命令は、コンピュータその他のプログラム可能データ処理装置を特定の方式で機能させることのできるコンピュータ可読記憶媒体に記憶されてもよく、それにより、コンピュータ可読記憶媒体に記憶された命令が、フローチャート又はブロック図のブロックで指定された機能／動作を実現する命令手段を含む製造品を生成する。コンピュータプログラム命令は、コンピュータその他のプログラム可能装置で一連の動作ステップを実行させて、コンピュータ実現プロセスを生成するために、コンピュータその他のプログラム可能データ処理装置にロードされてよく、それにより、コンピュータその他のプログラム可能装置上で実行される命令が、フローチャート又はブロック図のブロックで指定された機能／動作を実現するためのプロセスを提供する。
【０２０４】
以下にいくつかの例を示す。
【０２０５】
例１は、メモリ回路と、メモリ回路と結合された処理回路とを備える装置を含む。処理回路は、コアネットワークをトラバースするトランスポートネットワークを介して、送信エンティティからトラフィックを受信し、トラフィックをメモリ回路にバッファリングするように構成され、トランスポートネットワークのデータレートを制御するように構成され、ユーザ機器（ＵＥ）への後続の送信のために、トラフィックをコアネットワークから第１のｅＮＢ（例えばマクロｅＮＢ（ＭｅＮＢ））又は第２のｅＮＢ（例えばスモールセルｅＮＢ（ＳｅＮＢ））へ送信させるように構成される。一部の例では、ＳｅＮＢは、６ギガヘルツ（ＧＨｚ）よりも大きい周波数を用いて、ＵＥと通信するように構成される。
【０２０６】
例２は、例１の装置を含む。処理回路は、トランスポート層データ転送管理メッセージを送信エンティティへ送信させて、トランスポートネットワークのデータレートを制御するように構成される。
【０２０７】
例３は、例２の装置を含む。トランスポート層データ転送管理メッセージは、伝送制御プロトコル（ＴＣＰ）の肯定応答メッセージ又は否定応答メッセージである。
【０２０８】
例４は、例１〜３のいずれか１つの装置を含む。処理回路は、ＭｅＮＢ又はＳｅＮＢからＵＥに提供されるリンク容量の指示を受信し、リンク容量に基づいてトランスポートネットワークのデータレートを制御するように構成される。
【０２０９】
例５は、例４の装置を含む。リンク容量の指示は、スケジューリング決定の通知と共にメッセージに含まれる。
【０２１０】
例６は、例４又は５の装置を含む。処理回路は更に、ＭｅＮＢ又はＳｅＮＢによりＵＥに提供される更新されたリンク容量の指示を受信するように構成される。
【０２１１】
例７は、例２〜６のいずれか１つの装置を含む。トランスポート層データ転送管理メッセージはトランスポート層ＮＡＣＫメッセージである。処理回路は、トランスポート層ＮＡＣＫメッセージを送信エンティティへ送信させて、送信エンティティからのデータの送信レートを制御して、トランスポート輻輳制御を容易にするように構成される。
【０２１２】
例８は、例７の装置を含む。処理回路は、データが正常に受信されたか否かに関係なく、トランスポート層ＮＡＣＫメッセージの送信を生じさせるように構成される。
【０２１３】
例９は、例１〜８のいずれか１つの装置を含む。処理回路は、トラフィックの送信の前に、ＭｅＮＢに対して、トラフィックの通知の送信を生じさせるように構成される。
【０２１４】
例１０は、例９の装置を含む。トラフィックの通知は、トラフィックのタイプ、サイズ又はサービス品質要件の通知を含む。
【０２１５】
例１１は、例９又は１０の装置を含む。処理回路は更に、ＭｅＮＢのスケジューリング決定の通知を受信し、通知に基づいて、データをＭｅＮＢ又はＳｅＮＢに送信するように構成される。
【０２１６】
例１２は、例１〜１１のいずれか１つの装置を含む。処理回路は、ＭｅＮＢ又はＳｅＮＢによるトラフィックの送信のスケジュールを生成し、スケジュールの通知をＭｅＮＢに送信するように構成される。
【０２１７】
例１３は、例１２の装置を含む。処理回路は、トラフィックのタイプ、サイズ又はサービス品質要件に基づいてスケジュールを生成するように構成される。
【０２１８】
例１４は、例１３の装置を含む。処理回路は、ＭｅＮＢ又はＳｅＮＢによりＵＥに提供されるリンク容量の指示を受信し、リンク容量の指示に基づいて、トラフィックの送信をスケジューリングするように構成される。
【０２１９】
例１５は、例１〜１４のいずれか１つの装置を含む。本装置はコアネットワークに設けられる。
【０２２０】
例１６は、例１５の装置を含む。本装置はサービングゲートウェイである。
【０２２１】
例１７は、命令を有する１つ以上のコンピュータ可読記憶媒体を含む。命令は実行されると、モバイルプロキシに、コアネットワークをトラバースするトランスポートネットワークを介して送信エンティティから受信されたトラフィックをバッファリングし、トランスポートネットワークのデータレートを制御する工程と、その後のユーザ機器（ＵＥ）の送信のために、コアネットワークからマクロｅＮＢ（ＭｅＮＢ）又はスモールセルｅＮＢ（ＳｅＮＢ）にトラフィックを送信させるステップと、を実行させる。ＳｅＮＢは、ギガヘルツ（ＧＨｚ）よりも大きい周波数を用いてＵＥと通信するように構成される。
【０２２２】
例１８は、例１７の１つ以上のコンピュータ可読記憶媒体を含む。命令は実行されると、更に、トランスポート層データ転送管理メッセージを送信エンティティに送信させて、トランスポートネットワークのデータレートを制御するように構成される。
【０２２３】
例１９は、例１７〜１８のいずれか１つの１つ以上のコンピュータ可読記憶媒体を含む。命令は実行されると、更に、モバイルプロキシに、無線エアインタフェースのリンク容量に基づいて、トランスポートネットワークのデータレートを制御する工程を実行させる。
【０２２４】
例２０は、例１９の１つ以上のコンピュータ可読記憶媒体を含む。命令は実行されると、更に、モバイルプロキシに、ＭｅＮＢ又はＳｅＮＢから受信されたリンク容量の指示に基づいて、リンク容量を決定する工程を実行させる。
【０２２５】
例２１は、例２０の１つ以上のコンピュータ可読記憶媒体を含む。リンク容量の指示は、スケジューリング決定の通知と共にメッセージに含まれ、メッセージはＭｅＮＢから受信される。
【０２２６】
例２２は、例１８〜２１のいずれか１つの１つ以上のコンピュータ可読記憶媒体を含む。トランスポート層データ転送管理メッセージは、伝送制御プロトコル（ＴＣＰ）メッセージである。
【０２２７】
例２３は、例１７〜２２のいずれか１つの１つ以上のコンピュータ可読記憶媒体を含む。命令は実行されると、更に、モバイルプロキシに、トラフィックの送信の前に、ＭｅＮＢに、トラフィックの通知を送信する工程を実行させる。トラフィックの通知は、トラフィックのタイプ、サイズ又はサービス品質要件の通知を含む。
【０２２８】
例２４は、例１７〜２３のいずれか１つの１つ以上のコンピュータ可読記憶媒体を含む。命令は実行されると、更に、ＭｅＮＢのスケジューリング決定の通知を受信し、スケジューリング決定の通知に基づいて、データをＭｅＮＢ又はＳｅＮＢに送信するように構成される。
【０２２９】
例２５は、例１７〜２４のいずれか１つの１つ以上のコンピュータ可読記憶媒体を含む。命令は実行されると、正常に受信された送信を否定応答することにより、データレートを制御するように構成される。
【０２３０】
例２６は、命令を有する１つ以上のコンピュータ可読記憶媒体を含む。命令は実行されると、モバイルプロキシに、マクロｅＮＢ（ＭｅＮＢ）から受信されたリンク容量レポートを処理する工程であって、リンク容量レポートは、スモールセルｅＮＢ（ＳｅＮＢ）によりユーザ機器（ＵＥ）に提供される第１のリンクのリンク容量を含み、第１のリンクは６ギガヘルツ（ＧＨｚ）よりも大きい周波数を用いる、工程と、リンク容量レポートに基づいて、トランスポート層データ転送管理メッセージを送信エンティティに送信する工程であって、トランスポート層データ転送管理メッセージは、トランスポートネットワークのデータレートを制御するように構成される、工程と、を実行させる。
【０２３１】
例２７は、例２６の１つ以上のコンピュータ可読記憶媒体を含む。トランスポート層メッセージは、肯定応答／否定応答（ＡＣＫ／ＮＡＣＫ）メッセージである。
【０２３２】
例２８は、例２６又は２７の１つ以上のコンピュータ可読記憶媒体を含む。トランスポート層データ転送管理メッセージは、伝送制御プロトコル（ＴＣＰ）メッセージである。
【０２３３】
例２９は、例２６〜２８のいずれか１つの１つ以上のコンピュータ可読記憶媒体を含む。トランスポート層データ転送管理メッセージは、トランスポートネットワークにおいて輻輳又はフロー制御を提供するように構成される。
【０２３４】
例３０は、例２９の１つ以上のコンピュータ可読記憶媒体を含む。命令は更に、実行されると、モバイルプロキシに、個々のサービス品質（ＱｏＳ）クラスについて輻輳又はフロー制御を提供するために、トランスポート層データ転送管理メッセージを生成する工程、を実行させる。
【０２３５】
例３１は、例２６〜３０のいずれか１つの１つ以上のコンピュータ可読記憶媒体を含む。命令は更に、実行されると、モバイルプロキシに、リンク容量レポートに基づいて、ＭｅＮＢ又はＳｅＮＢによりＵＥにデータを送信するスケジュールを生成する工程、を実行させる。
【０２３６】
例３２は、例３１の１つ以上のコンピュータ可読記憶媒体を含む。命令は更に、実行されると、モバイルプロキシに、データのサービス品質（ＱｏＳ）クラスを決定する工程と、ＱｏＳクラスに基づいてスケジュールを生成する工程と、を実行させる。
【０２３７】
例３３は、モバイルプロキシを動作させる方法を含む。本方法は、マクロｅＮＢ（ＭｅＮＢ）から受信されるリンク容量レポートを処理するステップであって、リンク容量レポートは、スモールセルｅＮＢ（ＳｅＮＢ）によりユーザ機器（ＵＥ）に提供される第１のリンクのリンク容量を含み、第１のリンクは６ギガヘルツ（ＧＨｚ）よりも大きい周波数を用いる、ステップと、リンク容量レポートに基づいて、コアネットワークをトラバースし且つモバイルプロキシによって第１端で終了するトランスポートネットワークのデータレートを制御するステップと、を含む。
【０２３８】
例３４は、例３３の方法を含む。トランスポートネットワークのデータレートを制御するステップは、第２端でトランスポートネットワークを終了させる送信エンティティに、トランスポート層データ転送管理メッセージを送信するステップを含む。
【０２３９】
例３５は、例３４の方法を含む。トランスポート層メッセージは、肯定応答／否定応答（ＡＣＫ／ＮＡＣＫ）メッセージである。
【０２４０】
例３６は、例３４又は３５の方法を含む。トランスポート層データ転送管理メッセージは、伝送制御プロトコル（ＴＣＰ）メッセージである。
【０２４１】
例３７は、例３３〜３６のいずれか１つの方法を含む。データレートを制御するステップは、トランスポートネットワークにおいて輻輳又はフロー制御を実行するステップを含む。
【０２４２】
例３８は、例３３〜３７のいずれか１つの方法を含む。データレートを制御するステップは、個々のサービス品質（ＱｏＳ）クラスについて、輻輳又はフロー制御を実行するステップを含む。
【０２４３】
例３９は、例３３〜３８のいずれか１つの方法を含む。更に、リンク容量レポートに基づいて、ＭｅＮＢ又はＳｅＮＢによりＵＥにデータを送信するスケジュールを生成するステップを含む。
【０２４４】
例４０は、例３９の方法を含む。更に、データのサービス品質（ＱｏＳ）クラスを決定するステップと、ＱｏＳクラスに基づいてスケジュールを生成するステップと、を含む。
【０２４５】
例４１は、例３３〜４０のいずれか１つの方法を実行するように構成される手段を有するモバイルプロキシを含む。
【０２４６】
例４２は、少なくとも部分的にハードウェアに実装され、マクロｅＮＢ（ＭｅＮＢ）から、スモールセルｅＮＢ（ＳｅＮＢ）によってユーザ機器（ＵＥ）に提供される第１のリンクのリンク容量状況を含むリンク容量レポートを受信するように構成されるスケジューリングロジックであって、第１のリンクは６ギガヘルツ（ＧＨｚ）よりも大きい周波数を用いる、スケジューリングロジックと、少なくとも部分的にハードウェアに実装され、リンク容量レポートに基づいて、トランスポートネットワークを介してトランスポート層データ転送管理メッセージを送信するように構成される通信ロジックと、を備える装置を含む。
【０２４７】
例４３は、例４２の装置を含む。トランスポート層データ転送管理メッセージは、伝送制御プロトコル（ＴＣＰ）メッセージである。
【０２４８】
例４４は、例４２〜４３のいずれか１つの装置を含む。トランスポート層データ転送管理メッセージは、トランスポートネットワーク輻輳又はフロー制御を提供するように構成される。
【０２４９】
例４５は、例４４の装置を含む。通信ロジックは、トランスポート層データ転送管理メッセージを生成して、個々のサービス品質（ＱｏＳ）クラスについて、トランスポートネットワーク輻輳又はフロー制御を提供するように構成される。
【０２５０】
例４６は、例４２〜４５のいずれか１つの装置を含む。スケジューリングロジックは、リンク容量レポートに基づいて、ＭｅＮＢ又はＳｅＮＢによりＵＥにデータを送信するためのスケジュールを生成するように構成される。
【０２５１】
例４７は、例４６の装置を含む。スケジューリングロジックは更に、データのサービス品質（ＱｏＳ）クラスを決定し、ＱｏＳクラスに基づいてスケジュールを生成するように構成される。
【０２５２】
例４８は、メモリ回路と、メモリ回路と結合された処理回路とを備える装置を含む。処理回路は、マクロｅＮＢ（ＭｅＮＢ）又はスモールセルｅＮＢ（ＳｅＮＢ）を介して、ユーザ機器（ＵＥ）からデータを受信するように構成され、データの少なくとも第１の部分は、６ギガヘルツ（ＧＨｚ）よりも大きい周波数を用いてＵＥからＳｅＮＢに送信され、データをメモリ回路に一時的に記憶するように構成され、装置で終端しコアネットワークをトラバースするトランスポートネットワークを介して、コアネットワークを介してデータを送信するように構成される。
【０２５３】
例４９は、例４８の装置を含む。処理回路は、コアネットワークにおけるデータの送信をスケジューリングするように構成される。
【０２５４】
例５０は、例４８又は４９の装置を含む。処理回路は、ＭｅＮＢとＳｅＮＢの両方を介して、ＵＥからデータを受信するように構成される。
【０２５５】
例５１は、例４８〜５０のいずれか１つの装置を含む。処理回路は、ＭｅＮＢから、データ（データの第１の部分を含む）を受信するように構成される。
【０２５６】
例５２は、例４８〜５１のいずれか１つの装置を含む。処理回路は、トランスポート層データ転送管理メッセージを送信して、トランスポートネットワークのデータレートを制御するように構成される。
【０２５７】
例５３は、命令を含む１つ以上のコンピュータ可読記憶媒体を含む。命令は、実行されると、モバイルプロキシにユーザ機器（ＵＥ）からマクロｅＮＢ（ＭｅＮＢ）又はスモールセルｅＮＢ（ＳｅＮＢ）を介して受信されたデータを処理する工程であって、データの少なくとも第１の部分は、６ギガヘルツ（ＧＨｚ）よりも大きい周波数を用いて、ＵＥからＳｅＮＢに送信される、工程と、メモリ回路にデータを一時的に記憶する工程と、装置で終端するトランスポートネットワークを介して、コアネットワークを介して、データを送信する工程と、を実行させる。
【０２５８】
例５４は、例５３の１つ以上のコンピュータ可読記憶媒体を含む。命令は更に、実行されると、モバイルプロキシに、コアネットワークにおけるデータの送信をスケジューリングする工程を実行させる。
【０２５９】
例５５は、例５３又は５４の１つ以上のコンピュータ可読記憶媒体を含む。データは、ＭｅＮＢとＳｅＮＢの両方を介して、ＵＥから受信される。
【０２６０】
例５６は、例５３〜５５のいずれか１つの１つ以上のコンピュータ可読記憶媒体を含む。データ（データの第１の部分を含む）は、ＭｅＮＢから受信される。
【０２６１】
例５７は、例５３〜５６のいずれか１つの１つ以上のコンピュータ可読記憶媒体を含む。命令は更に、実行されると、モバイルプロキシに、トランスポート層データ転送管理メッセージを送信して、トランスポートネットワークのデータレートを制御する工程を実行させる。
【０２６２】
例５８は、命令を含む１つ以上のコンピュータ可読記憶媒体を含む。命令は、実行されると、モバイルプロキシに、コアネットワークと、無線アクセスネットワークを介してモバイルプロキシと通信可能に結合されたユーザ機器との間で通信されるデータを処理する工程と、無線アクセスネットワークにおける無線チャネル容量の変動を低減するために伝送制御プロトコル（ＴＣＰ）層を終了する工程と、を実行させる。
【０２６３】
例５９は、例５８の１つ以上のコンピュータ可読記憶媒体を含む。命令は更に、実行されると、モバイルプロキシに、無線アクセスネットワークの容量に基づいてＴＣＰ層におけるネットワークトラフィックレートを操作する工程を実行させる。
【０２６４】
例６０は、例５９の１つ以上のコンピュータ可読記憶媒体を含む。モバイルプロキシは、ＴＣＰレート制御手順を利用してネットワークトラフィックを操作するように構成される。
【０２６５】
例６１は、例５９〜６０のいずれか１つの１つ以上のコンピュータ可読記憶媒体を含む。命令は実行されると、マクロ進化型ノードＢ（ＭｅＮＢ）からのリンク容量レポートを処理して、ユーザ機器の接続に関する無線アクセスネットワークの容量を決定するように構成される。
【０２６６】
例６２は、例５８〜６１のいずれか１つの１つ以上のコンピュータ可読記憶媒体を含む。命令は更に、実行されると、モバイルプロキシに、サービス品質要件に基づいてトラフィックを処理する工程を実行させる。
【０２６７】
例６３は、例５８〜６２のいずれか１つの１つ以上のコンピュータ可読記憶媒体を含む。無線アクセスネットワークは、１つ以上のミリ波（mmWave）接続を提供するデバイスを含む。
【０２６８】
例６４は、モバイルプロキシを含む。モバイルプロキシは、コアネットワークと、無線アクセスネットワークを介してモバイルプロキシと通信可能に結合されたユーザ機器との間で通信されるデータを処理する手段と、無線アクセスネットワークにおける無線チャネル容量の変動を低減するために伝送制御プロトコル（ＴＣＰ）層を終了する手段と、を備える。
【０２６９】
例６５は、例６４のモバイルプロキシを含む。ＴＣＰ層を終了させる手段は更に、無線アクセスネットワークの容量に基づいてＴＣＰ層におけるネットワークトラフィックを操作するように構成される。
【０２７０】
例６６は、例６５のモバイルプロキシを含む。ＴＣＰ層を終了させる手段は、ＴＣＰ制御機構を利用してネットワークトラフィックを操作するように構成される。
【０２７１】
例６７は、例６４〜６６のいずれか１つのモバイルプロキシを含む。更に、マクロ進化型ノードＢ（ＭｅＮＢ）からのレポートを処理して、無線アクセスネットワークの容量を決定する手段を備える。
【０２７２】
例６８は、例６４〜６７のいずれか１つのモバイルプロキシを含む。データを処理する手段は、サービス品質要件に基づいてトラフィックを処理するように構成される。
【０２７３】
例６９は、例６４〜６８のいずれか１つのモバイルプロキシを含む。無線アクセスネットワークは、１つ以上のミリ波（mmWave）接続を提供するデバイスを含む。
【０２７４】
例７０は、モバイルプロキシを含む。モバイルプロキシは、少なくとも部分的にハードウェアに実装され、第１の接続を介して送信エンティティから、無線アクセスネットワークを介してコアネットワークと通信可能に結合されるユーザ機器（ＵＥ）に向けられたデータを受信するように構成される伝送制御プロトコル（ＴＣＰ）モジュールであって、トランスポートネットワークのデータレートを制御するために、１つ以上のトランスポート層メッセージを第１の接続を介して送信エンティティに送信するように構成される、ＴＣＰモジュールと、少なくとも部分的にハードウェアに実装され、ＵＥとコアネットワークとの間の第２の接続を介して、データをＵＥへ送信させるように構成されるトランスポート無線エアインタフェースモジュールと、を備える。
【０２７５】
例７１は、例７０のモバイルプロキシを含む。第１の接続はインターネットプロトコル（ＩＰ）ネットワークをトラバースし、第２の接続は無線エアインタフェースをトラバースする。
【０２７６】
例７２は、例７０又は７１のモバイルプロキシを含む。１つ以上のトランスポート層メッセージは、送信エンティティからのデータの送信レートを制御するためのトランスポート層データ転送管理メッセージを含む。
【０２７７】
例７３は、例７２のモバイルプロキシを含む。ＴＣＰモジュールは、正常に受信された送信に否定応答して、送信レートを低減するように構成される。
【０２７８】
例７４は、例７２又は７３のモバイルプロキシを含む。ＴＣＰモジュールは、マクロｅＮＢ（ＭｅＮＢ）又はスモールセルｅＮＢ（ＳｅＮＢ）からＵＥに提供されるリンク容量に基づいて、データレートを制御するように構成される。
【０２７９】
例７５は、例７０〜７４のいずれか１つのモバイルプロキシを含む。モバイルプロキシは、第２の接続を介して、リンク容量の指示を受信するように構成される。
【０２８０】
例７６は、例７０〜７５のいずれか１つのモバイルプロキシを含む。モバイルプロキシは、ＭｅＮＢ又はスモールセルｅＮＢ（ＳｅＮＢ）によるＵＥへのデータの送信スケジュールの指示を、マクロｅＮＢ（ＭｅＮＢ）から受信するように構成される。
【０２８１】
例７７は、例７０〜７６のいずれか１つのモバイルプロキシを含む。モバイルプロキシは、ＭｅＮＢ又はスモールセルｅＮＢ（ＳｅＮＢ）によるＵＥへのデータの送信のスケジュールの指示を、マクロｅＮＢ（ＭｅＮＢ）に送信するように構成される。
【０２８２】
例７８は、例７６又は７７のモバイルプロキシを含む。スケジュールは、データの少なくとも一部がＳｅＮＢによってＵＥに送信されることを含み、ＳｅＮＢは、６ギガヘルツよりも大きい周波数を用いてＵＥと通信するように構成される。
【０２８３】
例７９は、例７０〜７８のいずれか１つのモバイルプロキシを含む。モバイルプロキシは、ＵＥから受信エンティティに送信されるデータの指示を受信するように構成され、ＴＣＰモジュールは、ＵＥから送信されるデータの指示に基づいて、第１の接続を確立するように構成される。
【０２８４】
例８０は、例７９のモバイルプロキシを含む。ＴＣＰモジュールは、３ウェイハンドシェイクを用いて第１の接続を確立するように構成される。
【０２８５】
例８１は、マクロｅＮＢ（ＭｅＮＢ）を含む。ＭｅＮＢは、少なくとも部分的にハードウェアに実装され、コアネットワーク要素に存在するモバイルプロキシから、ユーザ機器（ＵＥ）に送信されるデータの通知を受信するように構成される通信ロジックであって、通知は、データのタイプ、サイズ又はサービス品質（ＱｏＳ）要件を含む、通信ロジックと、少なくとも部分的にハードウェアに実装され、通知に基づいて、ＭｅＮＢによって提供される第１のリンク又はスモールセルｅＮＢ（ＳｅＮＢ）によって提供される第２のリンクを介して、無線エアインタフェースを介してデータを送信するためのスケジュールを生成するように構成されるスケジューリングロジックと、を備える。通信ロジックは更に、スケジュールの指示をモバイルプロキシに送信するように構成される。
【０２８６】
例８２は、例８１のＭｅＮＢを含む。通信ロジックは、モバイルプロキシに、ＭｅＮＢ又はＳｅＮＢからＵＥに提供されるリンク容量の指示を提供するように構成される。
【０２８７】
例８３は、例８２のＭｅＮＢを含む。通信ロジックは、モバイルプロキシに、リンク容量の指示とスケジュールの指示の両方を含むメッセージを送信するように構成される。
【０２８８】
例８４は、例８１〜８３のいずれか１つのＭｅＮＢを含む。通信ロジックは、更に、ＭｅＮＢ又はＳｅＮＢによりＵＥに提供される更新されたリンク容量の指示を送信するように構成される。
【０２８９】
例８５は、例８１〜８４のいずれか１つのＭｅＮＢを含む。エアインタフェースを介してデータを送信するためのスケジュールは、データの少なくとも第１の部分が、ＳｅＮＢによってＵＥに提供されるようにスケジューリングされることを含む。ＳｅＮＢは、６ギガヘルツよりも大きい周波数を用いて、データの少なくとも第１の部分を送信するように構成される。
【０２９０】
例８６は、例８１〜８５のいずれか１つのＭｅＮＢを含む。エアインタフェースを介してデータを送信するためのスケジュールは、データの少なくとも第１の部分が、ＭｅＮＢによってＵＥに提供されるようにスケジューリングされることを含む。通信ロジックは、コアネットワークからデータの少なくとも第１の部分を受信し、６ギガヘルツ未満の周波数を用いて少なくとも第１の部分をＵＥに送信するように構成される。
【０２９１】
例８７は、マクロｅＮＢ（ＭｅＮＢ）を含む。ＭｅＮＢは、ＭｅＮＢによって提供される第１のリンク及びスモールセルｅＮＢ（ＳｅＮＢ）によって提供される第２のリンクを介して、ユーザ機器（ＵＥ）に提供されるリンク容量を決定するように構成される制御回路と、制御回路と結合される送受信回路とを備える。送受信回路は、リンク容量を、コアネットワーク要素に存在するモバイルプロキシに送信するように構成され、コアネットワーク要素に存在するモバイルプロキシから、第１のリンク又は第２のリンクを介してＵＥにデータを送信するためのスケジュールの通知を受信するように構成される。
【０２９２】
例８８は、例８７のＭｅＮＢを含む。データの送信のスケジュールは、データの少なくとも一部が第２のリンクを介してスケジューリングされることを含む。
【０２９３】
例８９は、例８８のＭｅＮＢを含む。送受信回路は更に、ＵＥにウェイクアップ信号を送信して、第２のリンクに関連するエアインタフェースをウェイクアップさせるようにＵＥに指示するように構成される。
【０２９４】
例９０は、例８９のＭｅＮＢを含む。送受信回路は、第１のリンクを介してウェイクアップ信号を送信するように構成される。
【０２９５】
例９１は、例８７〜９０のいずれか１つのＭｅＮＢを含む。データの送信のスケジュールは、第１のデータが第１のリンクを介してスケジューリングされることを含む。通信回路は更に、モバイルプロキシから第１のデータを受信し、第１のリンクを介して第１のデータをＵＥに送信するように構成される。
【０２９６】
例９２は、例８７〜９１のいずれか１つのＭｅＮＢを含む。通信回路は、更に、ＭｅＮＢ又はＳｅＮＢによりＵＥに提供される更新されたリンク容量の指示を送信するように構成される。
【０２９７】
例９３は、マクロｅＮＢ（ＭｅＮＢ）を含む。ＭｅＮＢは、ユーザ装置（ＵＥ）との通信のための無線エアインタフェースの第１のリンクを提供するように構成される通信ロジックと、少なくとも部分的にハードウェアに実装されるスケジューリングロジックと、を備える。スケジューリングロジックは、通信ロジックを介して、ＵＥからアップリンクトラフィックレポートを受信するように構成され、エアインタフェースの第２のリンクを介する第１のアップリンクデータの送信を示すスケジュールを生成するように構成され、第２のリンクは、６ギガヘルツよりも大きい周波数を用いてスモールセルｅＮＢ（ＳｅＮＢ）によって提供され、スケジュールを第１のリンクを介してＵＥへ送信させるように構成される。
【０２９８】
例９４は、例９３のＭｅＮＢを含む。通信ロジックは、コアネットワーク要素に存在するモバイルプロキシと通信するように構成される。
【０２９９】
例９５は、例９３〜９４のいずれか１つのＭｅＮＢを含む。通信ロジックは、第１のリンクを介して第２のアップリンクデータを受信し、第２のアップリンクデータをモバイルプロキシに送信するように構成される。
【０３００】
例９６は、マクロｅＮＢ（ＭｅＮＢ）を動作させる方法を含む。該方法は、ユーザ機器（ＵＥ）との通信のための無線エアインタフェースの第１のリンクを提供するステップと、ＵＥからアップリンクトラフィックレポートを受信するステップと、エアインタフェースの第２のリンクを介する第１のアップリンクデータの送信を示すスケジュールを生成するステップであって、第２のリンクは、６ギガヘルツよりも大きい周波数を用いてスモールセルｅＮＢ（ＳｅＮＢ）によって提供される、ステップと、スケジュールを第１のリンクを介してＵＥへ送信させるステップと、を含む。
【０３０１】
例９７は、例９６の方法を含む。更に、コアネットワーク要素に存在するモバイルプロキシと通信するステップを含む。
【０３０２】
例９８は、例９６〜９７のいずれか１つの方法を含む。更に、第１のリンクを介して第２のアップリンクデータを受信するステップと、第２のアップリンクデータをモバイルプロキシに送信するステップと、を含む。
【０３０３】
例９９は、モバイルプロキシを動作させる方法を含む。該方法は、第１の接続を介して送信エンティティから、無線アクセスネットワークを介してコアネットワークと通信可能に結合されるユーザ機器（ＵＥ）に向けられたデータを受信するステップと、トランスポートネットワークのデータレートを制御するステップと、ＵＥとコアネットワークとの間の第２の接続を介して、データをＵＥへ送信させるステップと、を含む。
【０３０４】
例１００は、例９９の方法を含む。トランスポートネットワークのデータレートを制御するステップは、第１の接続を介して、送信エンティティに１つ以上のトランスポート層メッセージを送信するステップを含む。
【０３０５】
例１０１は、例１００の方法を含む。１つ以上のトランスポート層メッセージは、送信エンティティからのデータの送信レートを制御するためのトランスポート層データ転送管理メッセージを含む。
【０３０６】
例１０２は、例９９〜１０１のいずれか１つの方法を含む。第１の接続はインターネットプロトコル（ＩＰ）ネットワークをトラバースし、第２の接続は無線エアインタフェースをトラバースする。
【０３０７】
例１０３は、例９９〜１０１のいずれか１つの方法を含む。データレートを制御するステップは、正常に受信された送信に否定応答して、送信レートを低減するステップを含む。
【０３０８】
例１０４は、例９９〜１０３のいずれか１つの方法を含む。データレートを制御するステップは、マクロｅＮＢ（ＭｅＮＢ）又はスモールセルｅＮＢ（ＳｅＮＢ）からＵＥに提供されたリンク容量に基づく。
【０３０９】
例１０５は、例９９〜１０４のいずれか１つの方法を含む。更に、第２の接続を介して、リンク容量の指示を受信するステップを含む。
【０３１０】
例１０６は、例９９〜１０５のいずれか１つの方法を含む。更に、ＭｅＮＢ又はスモールセルｅＮＢ（ＳｅＮＢ）によるＵＥへのデータの送信スケジュールの指示を、マクロｅＮＢ（ＭｅＮＢ）から受信するステップを含む。
【０３１１】
例１０７は、例９９〜１０６のいずれか１つの方法を含む。更に、ＭｅＮＢ又はスモールセルｅＮＢ（ＳｅＮＢ）によるＵＥへのデータの送信のスケジュールの指示を、マクロｅＮＢ（ＭｅＮＢ）に送信するステップを含む。
【０３１２】
例１０８は、例１０６又は１０７の方法を含む。データの少なくとも一部がＳｅＮＢによってＵＥに送信されることを含み、ＳｅＮＢは、６ギガヘルツよりも大きい周波数を用いてＵＥと通信するように構成される。
【０３１３】
例１０９は、例９９〜１０８のいずれか１つの方法を含む。モバイルプロキシは、ＵＥから受信エンティティに送信されるデータの指示を受信するように構成され、ＴＣＰモジュールは、ＵＥから送信されるデータの指示に基づいて、第１の接続を確立するように構成される。
【０３１４】
例１１０は、例１０９の方法を含む。更に、３ウェイハンドシェイクを用いて第１の接続を確立するステップを含む。
【０３１５】
例１１１は、マクロｅＮＢ（ＭｅＮＢ）を動作させる方法を含む。該方法は、コアネットワーク要素に存在するモバイルプロキシから、ユーザ機器（ＵＥ）に送信されるデータの通知を受信するステップであって、通知は、データのタイプ、サイズ又はサービス品質（ＱｏＳ）要件を含む、ステップと、通知に基づいて、ＭｅＮＢによって提供される第１のリンク又はスモールセルｅＮＢ（ＳｅＮＢ）によって提供される第２のリンクを介して、無線エアインタフェースを介してデータを送信するためのスケジュールを生成するステップと、スケジュールの通知をモバイルプロキシに送信するステップと、を含む。
【０３１６】
例１１２は、例１１１の方法を含む。更に、モバイルプロキシに、ＭｅＮＢ又はＳｅＮＢからＵＥに提供されるリンク容量の指示を提供するステップを含む。
【０３１７】
例１１３は、例１１２の方法を含む。更に、モバイルプロキシに、リンク容量の指示とスケジュールの通知の両方を含むメッセージを送信するステップを含む。
【０３１８】
例１１４は、例１１１〜１１３のいずれか１つの方法を含む。更に、ＭｅＮＢ又はＳｅＮＢによりＵＥに提供される更新されたリンク容量の指示を送信するステップを含む。
【０３１９】
例１１５は、例１１１〜１１４のいずれか１つの方法を含む。エアインタフェースを介してデータを送信するためのスケジュールは、データの少なくとも第１の部分が、ＳｅＮＢによってＵＥに提供されるようにスケジューリングされることを含む。ＳｅＮＢは、６ギガヘルツよりも大きい周波数を用いて、データの少なくとも第１の部分を送信するように構成される。
【０３２０】
例１１６は、例１１１〜１１５のいずれか１つの方法を含む。エアインタフェースを介してデータを送信するためのスケジュールは、データの少なくとも第１の部分が、ＭｅＮＢによってＵＥに提供されるようにスケジューリングされることを含む。本方法は更に、コアネットワークからデータの少なくとも第１の部分を受信し、６ギガヘルツ未満の周波数を用いて少なくとも第１の部分をＵＥに送信するステップを含む。
【０３２１】
例１１７は、マクロｅＮＢ（ＭｅＮＢ）を動作させる方法を含む。本方法は、ＭｅＮＢによって提供される第１のリンク及びスモールセルｅＮＢ（ＳｅＮＢ）によって提供される第２のリンクを介して、ユーザ機器（ＵＥ）に提供されるリンク容量を決定するステップと、リンク容量を、コアネットワーク要素に存在するモバイルプロキシに送信するステップと、コアネットワーク要素に存在するモバイルプロキシから、第１のリンク又は第２のリンクを介してＵＥにデータを送信するためのスケジュールの通知を受信するステップと、を含む。
【０３２２】
例１１８は、例１１７の方法を含む。データの送信のスケジュールは、データの少なくとも一部が第２のリンクを介してスケジューリングされることを含む。
【０３２３】
例１１９は、例１１８の方法を含む。更に、ＵＥにウェイクアップ信号を送信して、第２のリンクに関連するエアインタフェースをウェイクアップさせるようにＵＥに指示するステップを含む。
【０３２４】
例１２０は、例１１９の方法を含む。更に、第１のリンクを介してウェイクアップ信号を送信するステップを含む。
【０３２５】
例１２１は、例１１７〜１２０のいずれか１つの方法を含む。データの送信のスケジュールは、第１のデータが第１のリンクを介してスケジューリングされることを含む。本方法は更に、モバイルプロキシから第１のデータを受信し、第１のリンクを介して第１のデータをＵＥに送信するステップを含む。
【０３２６】
例１２２は、例１１７〜１２１のいずれか１つの方法を含む。更に、ＭｅＮＢ又はＳｅＮＢによりＵＥに提供される更新されたリンク容量の指示を送信するステップを含む。
【０３２７】
例１２３は、モバイルプロキシを動作させる方法を含む。本方法は、コアネットワークをトラバースするトランスポートネットワークを介して送信エンティティから受信されたトラフィックをバッファリングし、トランスポートネットワークのデータレートを制御するステップと、ユーザ機器（ＵＥ）への後続の送信のために、トラフィックをコアネットワークからマクロｅＮＢ（ＭｅＮＢ）又はスモールセルｅＮＢ（ＳｅＮＢ）に送信させるステップと、を含む。ＳｅＮＢは、６ギガヘルツ（ＧＨｚ）よりも大きい周波数を用いて、ＵＥと通信するように構成される。
【０３２８】
例１２４は、例１２３の方法を含む。データレートを制御するステップは、トランスポート層データ転送管理メッセージを送信エンティティへ送信させるステップを含む。
【０３２９】
例１２５は、例１２３又は例１２４の方法を含む。データレートを制御するステップは、無線エアインタフェースのリンク容量に基づく。
【０３３０】
例１２６は、例１２５の方法を含む。更に、ＭｅＮＢ又はＳｅＮＢから受信されたリンク容量の指示に基づいて、リンク容量を決定するステップを含む。
【０３３１】
例１２７は、例１２６の方法を含む。リンク容量の指示は、スケジューリング決定の通知と共にメッセージに含まれ、メッセージはＭｅＮＢから受信される。
【０３３２】
例１２８は、例１２４〜１２７のいずれか１つの方法を含む。トランスポート層データ転送管理メッセージは、伝送制御プロトコル（ＴＣＰ）メッセージである。
【０３３３】
例１２９は、例１２３〜１２８のいずれか１つの方法を含む。更に、正常に受信された送信を否定応答して、データレートを制御するステップを含む。
【０３３４】
例１３０は、例９６〜１２９のいずれか１つ又は任意の他の例の方法を実行する装置を含む。
【０３３５】
例１３１は、例９６〜１２９その他の例のいずれか１つの方法を実行する手段を備える装置を含む。
【０３３６】
例１３２は、命令を含む１つ以上のコンピュータ可読記憶媒体（非一時的であってよい）を含む。命令は、実行されると、デバイスに、例９６〜１２９その他の例の方法のいずれか１つを実行させる。
【０３３７】
例１３３は、コアネットワークをトラバースするトランスポートネットワークを介して、送信エンティティからトラフィックを受信する手段と、トラフィックをメモリ回路にバッファリングする手段と、トランスポートネットワークのデータレートを制御する手段と、ユーザ機器（ＵＥ）への後続の送信のために、トラフィックをコアネットワークからマクロｅＮＢ（ＭｅＮＢ）又はスモールセルｅＮＢ（ＳｅＮＢ）へ送信させる手段と、を備える装置を含む。一部の例では、ＳｅＮＢは、６ギガヘルツ（ＧＨｚ）よりも大きい周波数を用いて、ＵＥと通信するように構成される。
【０３３８】
例１３４は、例１３３の装置を含む。更に、トランスポート層データ転送管理メッセージを送信エンティティへ送信させて、トランスポートネットワークのデータレートを制御する手段を備える。
【０３３９】
例１３５は、例１３４の装置を含む。トランスポート層データ転送管理メッセージは、伝送制御プロトコル（ＴＣＰ）肯定応答メッセージである。
【０３４０】
例１３６は、例１３３〜１３５のいずれか１つの装置を含む。更に、ＭｅＮＢ又はＳｅＮＢからＵＥに提供されるリンク容量の指示を受信する手段と、リンク容量に基づいて、トランスポートネットワークのデータレートを制御する手段とを備える。
【０３４１】
例１３７は、例１３６の装置を含む。リンク容量の指示は、スケジューリング決定の通知と共にメッセージに含まれる。
【０３４２】
例１３８は、例１３６又は１３７の装置を含む。更に、ＭｅＮＢ又はＳｅＮＢによりＵＥに提供される更新されたリンク容量の指示を受信する手段を備える。
【０３４３】
例１３９は、例１３４〜１３８のいずれか１つの装置を含む。トランスポート層データ転送管理メッセージはトランスポート層ＮＡＣＫメッセージである。本装置は更に、トランスポート層ＮＡＣＫメッセージを送信エンティティへ送信させて、送信エンティティからのデータの送信レートを制御して、トランスポート輻輳制御を容易にする手段を備える。
【０３４４】
例１４０は、例１３９の装置を含む。更に、データが正常に受信されたか否かに関係なく、トランスポート層ＮＡＣＫメッセージの送信を生じさせる手段を備える。
【０３４５】
例１４１は、例１３３〜１４０のいずれか１つの装置を含む。更に、トラフィックの送信の前に、ＭｅＮＢに対して、トラフィックの通知の送信を生じさせる手段を備える。
【０３４６】
例１４２は、例１４１の装置を含む。トラフィックの通知は、トラフィックのタイプ、サイズ又はサービス品質要件の通知を含む。
【０３４７】
例１４３は、例１４１又は１４２の装置を含む。更に、ＭｅＮＢのスケジューリング決定の通知を受信する手段と、通知に基づいて、ＭｅＮＢ又はＳｅＮＢにデータを送信する手段と、を備える。
【０３４８】
例１４４は、例１４１〜１４３のいずれか１つの装置を含む。更に、ＭｅＮＢ又はＳｅＮＢによるトラフィックの送信のスケジュールを生成して、スケジュールの通知をＭｅＮＢに送信する手段を備える。
【０３４９】
例１４５は、例１４４の装置を含む。更に、トラフィックのタイプ、サイズ又はサービス品質要件に基づいてスケジュールを生成する手段を備える。
【０３５０】
例１４６は、例１４５の装置を含む。更に、ＭｅＮＢ又はＳｅＮＢによりＵＥに提供されるリンク容量の指示を受信する手段と、リンク容量の指示に基づいて、トラフィックの送信をスケジューリングする手段と、を備える。
【０３５１】
例１４７は、例１３３〜１４６のいずれか１つの装置を含む。本装置はコアネットワークに設けられる。
【０３５２】
例１４８は、例１４７の装置を含む。本装置はサービングゲートウェイに設けられる。
【０３５３】
例１４９は、モバイルプロキシを動作させるための装置を含む。本装置は、マクロｅＮＢ（ＭｅＮＢ）から受信されるリンク容量レポートを処理する手段であって、リンク容量レポートは、スモールセルｅＮＢ（ＳｅＮＢ）によりユーザ機器（ＵＥ）に提供される第１のリンクのリンク容量を含み、第１のリンクは６ギガヘルツ（ＧＨｚ）よりも大きい周波数を用いる、手段と、リンク容量レポートに基づいて、トランスポートネットワークのデータレートを制御する手段と、を備える。
【０３５４】
例１５０は、例１４９の装置を含む。トランスポートネットワークのデータレートを制御する手段は、トランスポート層データ転送管理メッセージを送信エンティティに送信する手段を含む。
【０３５５】
例１５１は、例１５０の装置を含む。トランスポート層メッセージは、肯定応答／否定応答（ＡＣＫ／ＮＡＣＫ）メッセージである。
【０３５６】
例１５２は、例１５０又は１５１の装置を含む。トランスポート層データ転送管理メッセージは、伝送制御プロトコル（ＴＣＰ）メッセージである。
【０３５７】
例１５３は、例１４９〜１５２のいずれか１つの装置を含む。データレートを制御する手段は、トランスポートネットワークにおいて輻輳又はフロー制御を実行する手段を含む。
【０３５８】
例１５４は、例１４９〜１５３のいずれか１つの装置を含む。データレートを制御する手段は、個々のサービス品質（ＱｏＳ）クラスについて、輻輳又はフロー制御を実行する手段を含む。
【０３５９】
例１５５は、例１４９〜１５４のいずれか１つの装置を含む。更に、リンク容量レポートに基づいて、ＭｅＮＢ又はＳｅＮＢによりＵＥにデータを送信するスケジュールを生成する手段を含む。
【０３６０】
例１５６は、例１５５の装置を含む。更に、データのサービス品質（ＱｏＳ）クラスを決定する手段と、ＱｏＳクラスに基づいてスケジュールを生成する手段と、を含む。
【０３６１】
例１５７は、マクロｅＮＢ（ＭｅＮＢ）又はスモールセルｅＮＢ（ＳｅＮＢ）を介して、ユーザ機器（ＵＥ）からデータを受信する手段であって、データの少なくとも第１の部分は、６ギガヘルツ（ＧＨｚ）よりも大きい周波数を用いて、ＵＥからＳｅＮＢに送信される、手段と、データをメモリ回路に一時的にバッファリングする手段と、装置で終端するトランスポートネットワークを介して、コアネットワークを介してデータを送信する手段と、を備える装置を含む。
【０３６２】
例１５８は、例１５７の装置を含む。更に、コアネットワークにおけるデータの送信をスケジューリングする手段を備える。
【０３６３】
例１５９は、例１５７又は１５８の装置を含む。更に、ＭｅＮＢとＳｅＮＢの両方を介して、ＵＥからデータを受信する手段を備える。
【０３６４】
例１６０は、例１５７〜１５９のいずれか１つの装置を含む。更に、データ（データの第１の部分を含む）をＭｅＮＢから受信する手段を備える。
【０３６５】
例１６１は、例１５７〜１６０のいずれか１つの装置を含む。更に、トランスポートネットワークのデータレートを制御するために、トランスポート層データ転送管理メッセージを送信する手段を備える。
【０３６６】
例１６２は、モバイルプロキシ内の装置を含む。本装置は、第１の接続を介して送信エンティティから、無線アクセスネットワークを介してコアネットワークと通信可能に結合されるユーザ機器（ＵＥ）に向けられたデータを受信する手段と、トランスポートネットワークのデータレートを制御する手段と、ＵＥとコアネットワークとの間の第２の接続を介して、データをＵＥへ送信させる手段と、を備える。
【０３６７】
例１６３は、例１６２の装置を含む。トランスポートネットワークのデータレートを制御する手段は、第１の接続を介して、１つ以上のトランスポート層メッセージを送信エンティティに送信する手段を含む。
【０３６８】
例１６４は、例１６３の装置を含む。１つ以上のトランスポート層メッセージは、送信エンティティからのデータの送信レートを制御するためのトランスポート層データ転送管理メッセージを含む。
【０３６９】
例１６５は、例１６２〜１６４のいずれか１つの装置を含む。第１の接続はインターネットプロトコル（ＩＰ）ネットワークをトラバースし、第２の接続は無線エアインタフェースをトラバースする。
【０３７０】
例１６６は、例１６２〜１６４のいずれか１つの装置を含む。データレートを制御する手段は、正常に受信された送信に否定応答して、送信レートを低減する手段を含む。
【０３７１】
例１６７は、例１６２〜１６６のいずれか１つの装置を含む。データレートを制御する手段は、マクロｅＮＢ（ＭｅＮＢ）又はスモールセルｅＮＢ（ＳｅＮＢ）からＵＥに提供されるリンク容量に基づく。
【０３７２】
例１６８は、例１６２〜１６６のいずれか１つの装置を含む。更に、第２の接続を介してリンク容量の指示を受信する手段を備える。
【０３７３】
例１６９は、例１６２〜１６８のいずれか１つの装置を含む。更に、ＭｅＮＢ又はスモールセルｅＮＢ（ＳｅＮＢ）によるＵＥへのデータの送信スケジュールの指示を、マクロｅＮＢ（ＭｅＮＢ）から受信する手段を備える。
【０３７４】
例１７０は、例１６２〜１６９のいずれか１つの装置を含む。更に、ＭｅＮＢ又はスモールセルｅＮＢ（ＳｅＮＢ）によるＵＥへのデータの送信のスケジュールの指示を、マクロｅＮＢ（ＭｅＮＢ）に送信する手段を備える。
【０３７５】
例１７１は、例１６９又は１７０の装置を含む。スケジュールは、データの少なくとも一部がＳｅＮＢによってＵＥに送信されることを含み、ＳｅＮＢは、６ギガヘルツよりも大きい周波数を用いてＵＥと通信するように構成される。
【０３７６】
例１７２は、例１６２〜１７１のいずれか１つの装置を含む。モバイルプロキシは、ＵＥから受信エンティティに送信されるデータの指示を受信するように構成され、ＴＣＰモジュールは、ＵＥから送信されるデータの指示に基づいて、第１の接続を確立するように構成される。
【０３７７】
例１７３は、例１７２の装置を含む。更に、３ウェイハンドシェイクを用いて第１の接続を確立する手段を備える。
【０３７８】
例１７４は、マクロｅＮＢ（ＭｅＮＢ）内の装置を含む。本装置は、コアネットワーク要素に存在するモバイルプロキシから、ユーザ機器（ＵＥ）に送信されるデータの通知を受信する手段であって、通知は、データのタイプ、サイズ又はサービス品質（ＱｏＳ）要件を含む、手段と、通知に基づいて、ＭｅＮＢによって提供される第１のリンク又はスモールセルｅＮＢ（ＳｅＮＢ）によって提供される第２のリンクを介して、無線エアインタフェースを介してデータを送信するためのスケジュールを生成する手段と、スケジュールの通知をモバイルプロキシに送信する手段と、を備える。
【０３７９】
例１７５は、例１７４の装置を含む。更に、モバイルプロキシに、ＭｅＮＢ又はＳｅＮＢからＵＥに提供されるリンク容量の指示を提供する手段を備える。
【０３８０】
例１７６は、例１７５の装置を含む。更に、モバイルプロキシに、リンク容量の指示とスケジュールの通知の両方を含むメッセージを送信する手段を備える。
【０３８１】
例１７７は、例１７４〜１７６のいずれか１つの装置を含む。更に、ＭｅＮＢ又はＳｅＮＢによりＵＥに提供される更新されたリンク容量の指示を送信する手段を備える。
【０３８２】
例１７８は、例１７４〜１７７のいずれか１つの装置を含む。エアインタフェースを介してデータを送信するためのスケジュールは、データの少なくとも第１の部分が、ＳｅＮＢによってＵＥに提供されるようにスケジューリングされることを含む。ＳｅＮＢは、６ギガヘルツよりも大きい周波数を用いて、データの少なくとも第１の部分を送信するように構成される。
【０３８３】
例１７９は、例１７４〜１７８のいずれか１つの装置を含む。エアインタフェースを介してデータを送信するためのスケジュールは、データの少なくとも第１の部分が、ＭｅＮＢによってＵＥに提供されるようにスケジューリングされることを含む。本装置は更に、コアネットワークからデータの少なくとも第１の部分を受信し、６ギガヘルツ未満の周波数を用いて少なくとも第１の部分をＵＥに送信する手段を備える。
【０３８４】
例１８０は、マクロｅＮＢ（ＭｅＮＢ）内の装置を含む。本装置は、ＭｅＮＢによって提供される第１のリンク及びスモールセルｅＮＢ（ＳｅＮＢ）によって提供される第２のリンクを介して、ユーザ機器（ＵＥ）に提供されるリンク容量を決定する手段と、リンク容量を、コアネットワーク要素に存在するモバイルプロキシに送信する手段と、コアネットワーク要素に存在するモバイルプロキシから、第１のリンク又は第２のリンクを介してＵＥにデータを送信するためのスケジュールの通知を受信する手段と、を備える。
【０３８５】
例１８１は、例１８０の装置を含む。データの送信のスケジュールは、データの少なくとも一部が第２のリンクを介してスケジューリングされることを含む。
【０３８６】
例１８２は、例１８０の装置を含む。更に、ＵＥにウェイクアップ信号を送信して、第２のリンクに関連するエアインタフェースをウェイクアップさせるようにＵＥに指示する手段を備える。
【０３８７】
例１８３は、例１８２の装置を含む。更に、第１のリンクを介してウェイクアップ信号を送信する手段を備える。
【０３８８】
例１８４は、例１８０〜１８３のいずれか１つの装置を含む。データの送信のスケジュールは、第１のデータが第１のリンクを介してスケジューリングされることを含む。本装置は更に、モバイルプロキシから第１のデータを受信し、第１のリンクを介して第１のデータをＵＥに送信する手段を備える。
【０３８９】
例１８５は、例１８０〜１８４のいずれか１つの装置を含む。更に、ＭｅＮＢ又はＳｅＮＢによりＵＥに提供される更新されたリンク容量の指示を送信する手段を備える。
【０３９０】
例１８６は、ユーザ機器（ＵＥ）への無線リンクのリンク容量状況を通信するためのデータレートフィールドと、ＵＥの識別子を通信するためのＵＥ識別子フィールドとを含む、リンク容量レポートメッセージを含む。
【０３９１】
例１８７は、例１８６のリンク容量レポートメッセージを含む。更に、ＵＥとスモールセルｅＮＢ（ＳｅＮＢ）との間の第１のリンクのドロップアウト周波数に関する情報を通信するためのドロップアウト指示フィールドを含む。
【０３９２】
例１８８は、例１８７のリンク容量レポートメッセージを含む。ドロップアウト指示フィールドは、第１のリンクの平均ドロップアウト周波数に関する情報を通信するためのものである。
【０３９３】
例１８９は、例１８６〜１８８のいずれか１つのリンク容量レポートメッセージを含む。更に、ＵＥとスモールセルｅＮＢ（ＳｅＮＢ）との間の第１のリンクの接続再確立時間についての情報を通信するための接続再確立時間指示フィールドを含む。
【０３９４】
例１９０は、例１８９のリンク容量レポートメッセージを含む。接続再確立時間指示フィールドは、第１のリンクの平均接続再確立時間についての情報を通信するためのものである。
【０３９５】
例１９１は、例１８６〜１９０のいずれか１つのリンク容量レポートメッセージを含む。無線リンクは、ＵＥとスモールセルｅＮＢ（ＳｅＮＢ）との間のリンクである。
【０３９６】
例１９２は、例１９１のリンク容量レポートメッセージを含む。リンク容量レポートメッセージは更に、ＵＥとマクロセルｅＮＢ（ＭｅＮＢ）との間の別の無線リンクのリンク容量状況を通信するための第２のデータレートフィールドを含む。
【０３９７】
例１９３は、例１８６〜１９２のいずれか１つのリンク容量レポートメッセージを含む。リンク容量状況は、ＩＰパケットがユーザ機器（ＵＥ）に正常に配信されるレートに関する統計情報である。
【０３９８】
例１９４は、例１８６〜１９３のいずれか１つのリンク容量レポートメッセージを含む。リンク容量レポートメッセージは、非アクセス層メッセージである。
【０３９９】
例１９５は、例１８６〜１９４のいずれか１つのリンク容量レポートメッセージを含む。ＵＥの識別子は、ＵＥに割り当てられたＩＰアドレスである。
【０４００】
要約に記載されている内容を含め、例示された実施例の説明は、網羅的であることを意図するものではなく、本発明の開示を開示された正確な形態に限定するものでもない。本明細書には、特定の実施例及び例が例示目的で記載されているが、当業者が認識するように、上記の詳細な説明に照らして、同じ目的を達成するために計算された様々な代替又は均等な実施形態又は実施例がなされてよい。
【図１】
2018511224.tif 000003
【図２】
2018511224.tif 000004
【図３】
2018511224.tif 000005
【図４】
2018511224.tif 000006
【図５】
2018511224.tif 000007
【図６】
2018511224.tif 000008
【図７】
2018511224.tif 000009
【図８】
2018511224.tif 000010
【図９】
2018511224.tif 000011
【図１０】
2018511224.tif 000012
【図１１】
2018511224.tif 000013
【図１２】
2018511224.tif 000014
【図１３】
2018511224.tif 000015
【図１４】
2018511224.tif 000016
【図１５】
2018511224.tif 000017
【図１６】
2018511224.tif 000018
【国際調査報告】
2018511224.tif 000019
2018511224.tif 000020
2018511224.tif 000021
2018511224.tif 000022
2018511224.tif 000023
2018511224.tif 000024
2018511224.tif 000025